(57)【要約】【課題】無線通信システムに複数のコンポーネントキャリアが設定される場合であっても、ＨＡＲＱ−ＡＣＫのフィードバックを適切に行うと共に通信品質の低下を抑制すること。【解決手段】本発明の一態様に係るユーザ端末は、複数セルから送信されるＤＬ信号に対するＡＣＫ／ＮＡＣＫを送信する送信部と、複数セルのうちスケジューリング対象のセルに関する情報を受信する受信部と、前記スケジューリング対象のセルに関する情報に基づいてＡＣＫ／ＮＡＣＫの送信を制御する制御部と、を有することを特徴とする。【選択図】図２
2017017371.tif 000002
【特許請求の範囲】
【請求項１】
複数セルから送信されるＤＬ信号に対するＡＣＫ／ＮＡＣＫを送信する送信部と、
複数セルのうちスケジューリング対象のセルに関する情報を受信する受信部と、
前記スケジューリング対象のセルに関する情報に基づいてＡＣＫ／ＮＡＣＫの送信を制御する制御部と、を有することを特徴とするユーザ端末。
【請求項２】
前記制御部は、前記スケジューリング対象のセルに関する情報に基づいて、フィードバックするＡＣＫ／ＮＡＣＫのビットサイズを制御することを特徴とする請求項１に記載のユーザ端末。
【請求項３】
前記スケジューリング対象のセルに関する情報は、スケジューリング対象となるセルを示すビットマップ情報を含むことを特徴とする請求項１又は請求項２に記載のユーザ端末。
【請求項４】
前記スケジューリング対象のセルに関する情報は、スケジューリング対象となるセルの数を示す情報を含むことを特徴とする請求項１又は請求項２に記載のユーザ端末。
【請求項５】
前記スケジューリング対象のセルに関する情報は、スケジューリング対象となるセルの累積値に関する情報をさらに含むことを特徴とする請求項４に記載のユーザ端末。
【請求項６】
前記スケジューリング対象のセルに関する情報は、スケジューリング対象となるセルの累積値に関する情報と、スケジューリング対象となるセルのうちセルインデックスが最も大きいセルを識別する情報と、を含むことを特徴とする請求項１又は請求項２に記載のユーザ端末。
【請求項７】
前記受信部は、前記スケジューリング対象のセルに関する情報を、スケジューリング対象となるセルからそれぞれ送信されるＤＣＩ（Downlink  Control  Information）及び／又はＭＡＣ  ＣＥ（Media  Access  Control  Control  Element）で受信することを特徴とする請求項１から請求項６のいずれかに記載のユーザ端末。
【請求項８】
前記受信部は、前記スケジューリング対象のセルに関する情報を、スケジューリング対象となるセルのうち所定セルから送信されるＤＣＩ（Downlink  Control  Information）及び／又はＭＡＣ  ＣＥ（Media  Access  Control  Control  Element）で受信することを特徴とする請求項１から請求項６のいずれかに記載のユーザ端末。
【請求項９】
複数セルを用いてユーザ端末と通信を行う無線基地局であって、
複数セルからそれぞれ送信するＤＬ信号のスケジューリングを制御する制御部と、
複数セルのうちスケジューリング対象のセルに関する情報を送信する送信部と、
前記スケジューリング対象のセルに関する情報に基づいてユーザ端末から送信されるＡＣＫ／ＮＡＣＫを受信する受信部と、を有することを特徴とする無線基地局。
【請求項１０】
複数セルに接続して通信を行うユーザ端末の無線通信方法であって、
複数セルのうちスケジューリング対象のセルに関する情報を受信する工程と、
前記スケジューリング対象のセルに関する情報に基づいて、複数セルから送信されるＤＬ信号に対するＡＣＫ／ＮＡＣＫを送信する工程と、を有することを特徴とする無線通信方法。
【発明の詳細な説明】
【技術分野】
【０００１】
本発明は、次世代移動通信システムにおけるユーザ端末、無線基地局及び無線通信方法に関する。
【背景技術】
【０００２】
ＵＭＴＳ（Universal  Mobile  Telecommunications  System）ネットワークにおいて、さらなる高速データレート、低遅延などを目的としてロングタームエボリューション（ＬＴＥ：Long  Term  Evolution）が仕様化された（非特許文献１）。また、ＬＴＥからの更なる広帯域化及び高速化を目的として、ＬＴＥの後継システム（例えば、ＬＴＥアドバンスト（以下、「ＬＴＥ−Ａ」と表す）、ＦＲＡ（Future  Radio  Access）などともいう）も検討されている。
【０００３】
ＬＴＥ  Ｒｅｌ．１０−１２のシステム構成は、ＬＴＥシステム帯域を１単位とする少なくとも１つのコンポーネントキャリア（ＣＣ：Component  Carrier）を含んでいる。このように、複数のコンポーネントキャリア（セル）を集めて広帯域化することをキャリアアグリゲーション（ＣＡ：Carrier  Aggregation）という。ＬＴＥ  Ｒｅｌ．１０−１２のシステムでは、最大５ＣＣを用いたＣＡが利用される。
【０００４】
ＬＴＥシステムでは、ユーザ端末（ＵＥ）と無線基地局（ｅＮＢ）の無線通信において、信号の受信ミスによる通信品質の劣化を抑制するために、ハイブリッド自動再送要求（ＨＡＲＱ：Hybrid  Automatic  Repeat  reQuest）がサポートされている。例えば、ユーザ端末は、無線基地局から送信されたＤＬ信号の受信状況に応じて、送達確認信号（ＨＡＲＱ−ＡＣＫ、ＡＣＫ／ＮＡＣＫとも呼ぶ）をフィードバックする。ユーザ端末は、ＨＡＲＱ−ＡＣＫを上り制御チャネル（ＰＵＣＣＨ）で送信する場合、ＣＣ（又は、セル）数等に応じて所定のＰＵＣＣＨフォーマットを利用することが規定されている（非特許文献２）。
【先行技術文献】
【非特許文献】
【０００５】
【非特許文献１】3GPP  TS  36.300  “Evolved  Universal  Terrestrial  Radio  Access  (E-UTRA)  and  Evolved  Universal  Terrestrial  Radio  Access  Network  (E-UTRAN);  Overall  description;  Stage  2”
【非特許文献２】3GPP  TS  36.213  “Evolved  Universal  Terrestrial  Radio  Access  (E-UTRA)  Physical  layer  procedures  (Release  12)”
【発明の概要】
【発明が解決しようとする課題】
【０００６】
既存のＬＴＥシステム（Ｒｅｌ．１２以前）において、ユーザ端末がフィードバックするＡＣＫ／ＮＡＣＫのビットサイズ（コードブックサイズ、ビット列サイズとも呼ぶ）は、無線基地局から上位レイヤシグナリングであらかじめ準静的（ｓｅｍｉ−ｓｔａｔｉｃ）に通知される情報（ＣＣ数等）に基づいて決定される。したがって、ＣＡを適用する場合、ユーザ端末は設定されるＣＣ数等に基づいて固定的に決定されるコードブックサイズでＡＣＫ／ＮＡＣＫフィードバックを行う。このため、ユーザ端末に設定されるＣＣ数と、あるサブフレームでＤＬ信号のスケジューリングが行われるＣＣ数が異なる場合、ユーザ端末において、コードブックサイズを変更できず、送信するＡＣＫ／ＮＡＣＫサイズが必要以上に大きくなる場合がある。また、Ｒｅｌ．１２以前では、ＣＡ時に設定可能なＣＣ数が最大５個であったが、Ｒｅｌ．１３以降では設定可能なＣＣ数の拡張が想定されており、設定されるＣＣ数と、あるサブフレームでスケジューリングされるＣＣ数とが大きく異なるおそれがある。
【０００７】
一方で、ユーザ端末が受信したＤＬ信号（ＤＬ信号を受信したＣＣ数）等に基づいて、フィードバックするＨＡＲＱ−ＡＣＫのコードブックサイズを動的に制御することが考えられる。しかし、ユーザ端末がＤＬ信号を検出ミス又は誤検出した場合、無線基地局と、ユーザ端末でコードブックサイズの認識が異なる場合が生じる。かかる場合、無線基地局は、ユーザ端末からフィードバックされたＡＣＫ／ＮＡＣＫを適切に復号できず、通信品質が低下するおそれがある。
【０００８】
本発明はかかる点に鑑みてなされたものであり、無線通信システムに複数のコンポーネントキャリアが設定される場合であっても、ＨＡＲＱ−ＡＣＫのフィードバックを適切に行うと共に通信品質の低下を抑制可能なユーザ端末、無線基地局及び無線通信方法を提供することを目的の１つとする。
【課題を解決するための手段】
【０００９】
本発明の一態様に係るユーザ端末は、複数セルから送信されるＤＬ信号に対するＡＣＫ／ＮＡＣＫを送信する送信部と、複数セルのうちスケジューリング対象のセルに関する情報を受信する受信部と、前記スケジューリング対象のセルに関する情報に基づいてＡＣＫ／ＮＡＣＫの送信を制御する制御部と、を有することを特徴とする。
【発明の効果】
【００１０】
本発明の一態様によれば、無線通信システムに複数のコンポーネントキャリアが設定される場合であっても、ＨＡＲＱ−ＡＣＫのフィードバックを適切に行うと共に通信品質の低下を抑制することが可能となる。
【図面の簡単な説明】
【００１１】
【図１】複数ＣＣにおける下りリンクのスケジューリングを示す図である。
【図２】第１の実施の形態の第１の態様における各ＣＣのスケジューリング状況と、各ＣＣで送信されるＤＣＩに含まれる情報を示す図である。
【図３】第１の実施の形態の第２の態様における各ＣＣのスケジューリング状況と、各ＣＣで送信されるＤＣＩに含まれる情報を示す図である。
【図４】第２の実施の形態の第１の態様における各ＣＣのスケジューリング状況と、各ＣＣで送信されるＤＣＩに含まれる情報を示す図である。
【図５】第２の実施の形態の第２の態様における各ＣＣのスケジューリング状況と、各ＣＣで送信されるＤＣＩに含まれる情報を示す図である。
【図６】第３の実施の形態の第１の態様における各ＣＣのスケジューリング状況と、各ＣＣで送信されるＤＣＩに含まれる情報を示す図である。
【図７】第３の実施の形態の第２の態様における各ＣＣのスケジューリング状況と、各ＣＣで送信されるＤＣＩに含まれる情報を示す図である。
【図８】第４の実施の形態の第１の態様における各ＣＣのスケジューリング状況と、各ＣＣで送信されるＤＣＩに含まれる情報を示す図である。
【図９】第４の実施の形態の第２の態様における各ＣＣのスケジューリング状況と、各ＣＣで送信されるＤＣＩに含まれる情報を示す図である。
【図１０】本発明の一実施形態に係る無線通信システムの概略構成図である。
【図１１】本発明の一実施形態に係る無線基地局の全体構成の一例を示す図である。
【図１２】本発明の一実施形態に係る無線基地局の機能構成の一例を示す図である。
【図１３】本発明の一実施形態に係るユーザ端末の全体構成の一例を示す図である。
【図１４】本発明の一実施形態に係るユーザ端末の機能構成の一例を示す図である。
【発明を実施するための形態】
【００１２】
ＬＴＥシステムでは、複数のＣＣ（セル）を用いたユーザ端末と無線基地局の無線通信において再送制御（ＨＡＲＱ−ＡＣＫ：Hybrid  Automatic  Repeat  Request  Acknowledgement、ＡＣＫ／ＮＡＣＫ:ACKnowledgement/Negative  ACKnowledgement）がサポートされている。例えば、無線基地局からユーザ端末に送信されるＤＬ信号に対して、ユーザ端末は受信したＤＬ信号の受信結果に基づいてＡＣＫ／ＮＡＣＫ（又はＤＴＸ）を無線基地局へフィードバックする。
【００１３】
ＬＴＥシステムでは、ユーザ端末がＡＣＫ／ＮＡＣＫ（ＨＡＲＱ−ＡＣＫ）を上り制御チャネル（ＰＵＣＣＨ）で無線基地局に送信するために複数のＰＵＣＣＨ  ｆｏｒｍａｔが規定されている。ここで、ＡＣＫ／ＮＡＣＫは、ＡＣＫとＮＡＣＫを示すビットで構成される所定の長さのビット列で構成される。
【００１４】
例えば、ＰＵＣＣＨ  ｆｏｒｍａｔ  １ａ／１ｂが設定されたユーザ端末は、ＰＤＳＣＨをスケジューリングする制御チャネル（ＰＤＣＣＨ／ＥＰＤＣＣＨ）のＣＣＥ／ＥＣＣＥ（Control  Channel  Element／Enhanced  CCE）インデックスに対応するＰＵＣＣＨリソースで、ＡＣＫ／ＮＡＣＫ信号について符号化せずに送信する。
【００１５】
また、ＰＵＣＣＨ  ｆｏｒｍａｔ  ３が設定されたユーザ端末は、ＳＣｅｌｌのＰＤＣＣＨ／ＥＰＤＣＣＨに含まれるＴＰＣ（Transmit  Power  Control）コマンドビットをＡＲＩ（Ack/nack  Resource  Indicator）として読み替え、上位レイヤシグナリングで設定された４つのリソースのうち、ＡＲＩが指定するいずれか１つのＰＵＣＣＨリソースで送信する。この時、ＡＲＩの値は異なるＳＣｅｌｌのＰＤＳＣＨをスケジューリングするＰＤＣＣＨ、ＥＰＤＣＣＨ間で同一とすることが好ましい。ＰＵＣＣＨ  ｆｏｒｍａｔ  ３においては、ＦＤＤ（Frequency  Division  Duplex）を用いる場合には最大１０ビット、ＴＤＤ（Time  Division  Duplex）を用いる場合には最大２１ビットのコードブックサイズが設定され、ＡＣＫ／ＮＡＣＫのために用いられる。
【００１６】
既存システム（ＬＴＥ  Ｒｅｌ．１０−１２）においては、ＰＵＣＣＨで送信するＨＡＲＱ−ＡＣＫのコードブック（ＡＣＫ／ＮＡＣＫビット列）サイズは、上述したように上位レイヤシグナリングで通知される情報に基づきｓｅｍｉ−ｓｔａｔｉｃ（準静的）に決定されている。
【００１７】
ＦＤＤを用いる場合には、ＲＲＣシグナリングで設定（Configure）されるＣＣ数と、各ＣＣにおいてＭＩＭＯ（Multiple  Input  Multiple  Output）の適用可否を示すＴＭ（Transmission  Mode）に基づいて、全体のＡＣＫ／ＮＡＣＫ（Ａ／Ｎ）ビットサイズが確定される。この場合、ユーザ端末は、スケジューリング対象のＣＣ数に関係なく上位レイヤシグナリングに基づいてＡＣＫ／ＮＡＣＫビット列を送信する。
【００１８】
ＴＤＤを用いる場合には、上述したＦＤＤを用いる場合に加え、１ＵＬサブフレームのＰＵＣＣＨあたりの送達確認信号（ＡＣＫ／ＮＡＣＫ）の対象となるＤＬサブフレーム数に基づいて、ＡＣＫ／ＮＡＣＫビット列全体のサイズが確定する。ユーザ端末は、スケジューリング情報に含まれているスケジューリング対象のＣＣ数や、サブフレーム数に関係なく上位レイヤシグナリングに基づいてＡＣＫ／ＮＡＣＫビット列を送信する。
【００１９】
このように、上位レイヤシグナリングによって通知された情報に基づいて、フィードバックするＡＣＫ／ＮＡＣＫのビットサイズが決定される場合、ユーザ端末に実際にスケジューリングされたＣＣ数に対応するＡＣＫ／ＮＡＣＫビットサイズが異なる場合が生じる。
【００２０】
例えば、ＣＡを利用するユーザ端末に５ＣＣ（ＣＣ＃０−＃４）が設定され、あるサブフレームにおいて３ＣＣ（ＣＣ＃０、＃３、＃４）を用いて当該ユーザ端末にＤＬ信号が送信される場合を想定する（図１Ａ参照）。図１Ａに示す例では、スケジューリングされたＣＣは、ＣＣ＃０、ＣＣ＃３、ＣＣ＃４の３つに過ぎない。しかし、上位レイヤシグナリングから通知されるＡＣＫ／ＮＡＣＫサイズが５ＣＣ分であるため、ユーザ端末は５ＣＣ分のＡＣＫ／ＮＡＣＫを送信する。この場合、ユーザ端末は、スケジューリングされないＣＣ（ＣＣ＃１、ＣＣ＃２）に対応するＰＤＣＣＨ／ＥＰＤＣＣＨを検出することはできないため、ＮＡＣＫと判断してフィードバックを行う。このように、既存システムでは、実際にスケジューリング（ＤＬ信号が送信）されるＣＣに対応するＡＣＫ／ＮＡＣＫコードブックサイズと、上位レイヤシグナリングによって通知されるコードブックサイズが異なる場合でも、ユーザ端末はコードブックサイズを変更できない。
【００２１】
ところで、ＬＴＥ  Ｒｅｌ．１０−１２におけるＣＡでは、ユーザ端末あたりの設定可能なＣＣ数が最大５個に制限されている。一方、ＬＴＥ  Ｒｅｌ．１３以降では、より柔軟かつ高速な無線通信を実現するために、ユーザ端末に設定可能なＣＣ数の制限を緩和し、６個以上のＣＣ（５個を超えるＣＣ、たとえば最大３２個のＣＣ）を設定することが検討されている。ここで、設定可能なＣＣ数が６個以上であるキャリアアグリゲーションは、例えば、拡張ＣＡ（enhanced  ＣＡ）、Ｒｅｌ．１３  ＣＡなどと呼ばれてもよい。
【００２２】
このように、設定されるＣＣ数が拡張される場合、設定されるＣＣ数と各サブフレームでスケジューリングされるＣＣ数の差が大きくなることが想定される。設定されるＣＣ数に対してＤＬ信号がスケジューリングされるＣＣ数が少ない場合に、従来のようにコードブックサイズをｓｅｍｉ−ｓｔａｔｉｃに決定すると、ユーザ端末から送信されるＡＣＫ／ＮＡＣＫのほとんどがＮＡＣＫであるような場合が生じる。例えば、図１Ｂでは、ユーザ端末に３２ＣＣが設定され、実際にスケジューリングされるＣＣ数が３個（ＣＣ＃０−＃２）の場合を示している。この場合には、全体のＣＣ数（３２ＣＣ）に比べて、実際にスケジューリングされるセルの数（３ＣＣ）が少なく、ほとんどのＣＣがＮＡＣＫとなる。
【００２３】
また、ＡＣＫ／ＮＡＣＫのコードブックサイズが小さいほど、ユーザ端末が送信する情報量は少なくなる。したがって、ＡＣＫ／ＮＡＣＫのコードブックサイズを小さくできれば、無線送信に際し要求される通信品質（ＳＩＮＲ：Signal  to  Interference  plus  Noise  power  Ratio）を低く抑えることができる。例えば、最大５ＣＣを用いるＣＡでも、ユーザ端末がフィードバックするＡＣＫ／ＮＡＣＫのコードブックサイズをスケジューリングされるＣＣに応じて小さくすることでＡＣＫ／ＮＡＣＫの送信において要求されるＳＩＮＲを低く抑えることができる。
【００２４】
このため、ユーザ端末がフィードバックするＡＣＫ／ＮＡＣＫ（ＨＡＲＱ−ＡＣＫ）のコードブックサイズを、スケジューリングされたＣＣ数に応じてダイナミックに変更可能とすることが有効となる。
【００２５】
ユーザ端末がフィードバックするＡＣＫ／ＮＡＣＫのコードブックサイズを動的に変更可能とする場合、例えば、スケジューリングされたＣＣ数等に応じて、ユーザ端末がＡＣＫ／ＮＡＣＫのビット数を動的に変更することが考えられる。このようにＡＣＫ／ＮＡＣＫのビット数を動的に変更する方法としては、例えばＵＥ（ユーザ端末）が、ＰＤＳＣＨをスケジューリングするＰＤＣＣＨ／ＥＰＤＣＣＨの検出数に基づき、ＡＣＫ／ＮＡＣＫのビット数を決定する方法がある。ＡＣＫ／ＮＡＣＫビット数は、前記ＰＤＣＣＨ／ＥＰＤＣＣＨの検出数と同一でも良いし、それぞれのＣＣにＰＤＳＣＨをスケジューリングするＰＤＣＣＨ／ＥＰＤＣＣＨの個数に加え、上位レイヤシグナリング（例えばＭＩＭＯの適用）情報を考慮して決定されるものであってもよい。この場合、ユーザ端末のＡＣＫ／ＮＡＣＫコードブックサイズをスケジューリングされるＣＣ数に応じて適切に縮小することができる。
【００２６】
ところで、ＣＡを適用したＡＣＫ／ＮＡＣＫにおいて用いられるＰＵＣＣＨ  ｆｏｒｍａｔ（例えばｆｏｒｍａｔ  ３）においては、ＡＣＫ／ＮＡＣＫビット列に誤り訂正符号化（例えばブロック符号化）が適用されて送信される。このため、符号化を行うユーザ端末と、復号を行う無線基地局でコードブックサイズの認識が一致していなければ、無線基地局はユーザ端末からフィードバックされたＡＣＫ／ＮＡＣＫを正しく復号することはできない。
【００２７】
例えば、ユーザ端末が、本来スケジューリングされたＣＣ数と異なるＣＣ数を認識するような検出ミスや誤検出が発生すると、無線基地局とユーザ端末でコードブック（ビット列）サイズの認識が一致しない事態が生じる（図１Ｃ参照）。図１Ｃでは、無線基地局がユーザ端末に対して、８ＣＣを利用したスケジューリング（ＤＬ信号の送信）を行っているが、ユーザ端末では、５ＣＣ分のＰＤＣＣＨ／ＥＰＤＣＣＨ（スケジューリング情報）を検出する場合を示している。つまり、ユーザ端末は、３ＣＣ分のＤＬ信号（例えば、ＰＤＣＣＨ／ＥＰＤＣＣＨ）について検出ミスしている。
【００２８】
ユーザ端末が検出したＤＬ信号（ＣＣ数）に基づいてＡＣＫ／ＮＡＣＫコードブックサイズを決定する場合、ユーザ端末は、検出した５ＣＣ分のＡＣＫ／ＮＡＣＫビット列を無線基地局に送信する。そのため、無線基地局は正しく復号ができずＡＣＫ／ＮＡＣＫビット列全体が影響を受けて、ＡＣＫ／ＮＡＣＫを用いたフィードバック品質が著しく劣化してしまう。
【００２９】
このように、ユーザ端末は、無線基地局から所定ＣＣで送信されたＤＬ信号を検出ミスした場合、当該無線基地局がＤＬ信号を送信したＣＣ数よりも少ないＣＣ数の割当てと判断する。また、ユーザ端末は、無線基地局から送信されたＤＬ信号を誤検出した場合、当該無線基地局がＤＬ信号を送信したＣＣ数より多いＣＣ数の割当てと判断する。
【００３０】
したがって、ＰＤＣＣＨ／ＥＰＤＣＣＨの検出数に基づいてユーザ端末が送信するＡＣＫ／ＮＡＣＫのコードブックサイズを決める方法は容易に適用することができるが、検出ミスや誤検出が発生すると、無線基地局とユーザ端末の間でコードブックサイズの認識がずれる。かかる場合、上述したようにＡＣＫ／ＮＡＣＫに基づくフィードバック品質が劣化し、通信品質が大幅に劣化してしまうおそれがある。
【００３１】
このため、ＡＣＫ／ＮＡＣＫのコードブックサイズをダイナミックに変化させて通信を行う場合には、ユーザ端末と無線基地局間のコードブックサイズをいかに一致させるが課題となる。
【００３２】
そこで、本発明者らは、スケジューリング対象となるセルに関する情報をユーザ端末に通知し、ユーザ端末がスケジューリング対象セルに関する情報に基づいて送信するＡＣＫ／ＮＡＣＫのコードブックサイズを制御することを着想した。
【００３３】
本発明の一実施形態によれば、ユーザ端末は、スケジューリング対象のセルに関する情報を受信し、当該スケジューリング対象のセルに関する情報に基づいて、無線基地局に対するＡＣＫ／ＮＡＣＫフィードバックを制御する。例えば、無線基地局は、下り制御チャネル（ＰＤＣＣＨ及び／又はＥＰＤＣＣＨ）で送信する下り制御情報（ＤＣＩ）にスケジューリング対象のセルに関する情報を含めてユーザ端末に通知することができる。ユーザ端末は、ＰＤＣＣＨ／ＥＰＤＣＣＨに含まれる制御情報に基づいて、所定セルで送信されるＰＤＳＣＨを復号する。そのため、ユーザ端末は、ＤＣＩに含まれる複数のセルのうちスケジューリング対象のセルに関する情報と、復号したＰＤＳＣＨに基づいて、複数セルから送信されるＤＬ信号に対するＡＣＫ／ＮＡＣＫを制御（生成）し、無線基地局に対して送信する。
【００３４】
このように、下りリンクで送信されるスケジューリング対象のセルに関する情報に基づいて、無線基地局にＡＣＫ／ＮＡＣＫフィードバック制御を行うことで、ＡＣＫ／ＮＡＣＫのコードブックサイズを動的に変更すると共に、無線基地局とユーザ端末で対象とするコードブックサイズの認識を一致させることができる。これにより、無線通信システムに複数のコンポーネントキャリアが設定される場合であっても、ＨＡＲＱ−ＡＣＫのフィードバックを適切に行うと共に通信品質の低下を抑制することができる。
【００３５】
以下、本発明に係る実施形態について説明する。以下の説明では、無線基地局からユーザ端末に対してＰＤＣＣＨやＥＰＤＣＣＨに含まれるＤＣＩ（Downlink  Control  Information）を用いてスケジューリング対象セルに関する情報を送信する場合を例示するが、本実施の形態はこれに限定されない。例えば、ＤＬ  ＭＡＣ  ＣＥ（DownLink  Medium  Access  Control  Control  Element）を用いてスケジューリング対象セルに関する情報を送信してもよい。また、スケジューリング対象セルに関する情報は、スケジューリングされるセル（又は、ＣＣ）に関する情報であればよく、例えば、スケジューリングされるセル（ＣＣ）のセルインデックスを示す情報とすることができる。あるいは、複数ＣＣを所定のグループに分類する場合には、スケジューリング対象となるセルを少なくとも含むセルグループに関する情報とすることも可能である。
【００３６】
また、以下に示す実施の形態では無線通信に用いるＣＣ（又は、セル）として、１つのＰＣｅｌｌ（Primary  Cell）と５つのＳＣｅｌｌを用いる場合を示すが、Ｃｅｌｌの数はこれに限らない。例えば、６ＣＣ以上（例えば、最大３２ＣＣ）を想定してもよい。また、ＨＡＲＱ−ＡＣＫフィードバックとして、ＰＵＣＣＨフォーマット３を利用することができるが、これに限られない。ＰＵＣＣＨフォーマット３より容量が大きい新規ＰＵＣＣＨフォーマットを利用することも可能である。また、デュアルコネクティビティ（ＤＣ：Dual  Connectivity）を利用する場合には、ＰＣｅｌｌと含むＭＣＧと、ＰＵＣＣＨ送信を行うＰＳＣｅｌｌを含むＳＣＧに分類されるが、ＰＣｅｌｌをＰＳＣｅｌｌと置き換えてＳＣＧに適用することができる。また、スケジューリングを行うセルの数や配置、スケジューリングされるセルのインデックス、送信される信号についても以下の例に限られない。また、各実施の形態の第２の態様における所定ＣＣは、下に示した例に限られない。
【００３７】
以下、本実施の形態として、第１−第４の実施の形態について図面を用いて説明する。以下に示す各実施の形態においては、ＤＣＩに含まれるスケジューリング対象のセルに関する情報が異なっている。また、第１−第４の実施の形態については、単独で用いてもよいし、組み合わせて用いてもよい。
【００３８】
（第１の実施の形態）
第１の実施の形態では、無線基地局からユーザ端末に対してスケジューリング対象のセルに関する情報を、ビットマップ（Ｂｉｔ−Ｍａｐ）方式を用いて送信する場合について説明する。なお、以下の説明では、ユーザ端末に対して、ＰＣｅｌｌであるＣＣ＃０（セル  インデックスを＃で表す）とＳＣｅｌｌであるＣＣ＃１−＃５の計６個のＣＣが設定される場合を例に挙げて説明する。
【００３９】
（第１の態様）
図２Ａ、図２Ｂ、図２Ｃを用いて第１の実施の形態の第１の態様を説明する。図２Ａ、図２Ｂ、図２Ｃは、あるサブフレームにおいて各ＣＣに対するスケジューリング（ＤＬ信号の送信）状況とＤＣＩに含まれるビットマップ情報を示す図である。
【００４０】
第１の態様においては、無線基地局はスケジューリング対象となるＣＣのうちすべてのＣＣで送信されるＤＣＩに、スケジューリング対象となるＣＣを示すビットマップを含める。図２では、設定されるＣＣのうち、スケジューリング対象であるＣＣを「１」、スケジューリング対象でないＣＣを「０」としてビットマップを構成する場合を示している。
【００４１】
例えば、図２Ａでは、スケジューリング対象のＣＣは、ＣＣ＃０−＃２、＃４、＃５であり、スケジューリング対象でないＣＣは、ＣＣ＃３である。この場合、これらのＣＣのスケジューリング状態は、Ｃｅｌｌ  ｉｎｄｅｘ（セルインデックス）の順にビットマップ「１１１０１１」で表すことができる。無線基地局は、スケジューリング対象の各ＣＣのＤＬにおいて、当該ビットマップを含むＤＣＩをユーザ端末に送信する。なお、ビットマップの構成として、ユーザ端末に設定されたＣＣのセルインデックス順に配置する場合を示したが、これに限られない。
【００４２】
図２Ｂでは、スケジューリング対象のＣＣがＣＣ＃１、＃２、＃４、＃５である場合を示している。この場合、ビットマップは「０１１０１１」と表され、ビットマップを含むＤＣＩがスケジューリング対象の各ＣＣ（ＣＣ＃１、＃２、＃４、＃５）を介して無線基地局からユーザ端末に送信される。
【００４３】
ユーザ端末は、ＤＣＩのビットマップに含まれる１（又は０）の情報に基づき、スケジューリング対象のＣＣを把握する。また、ユーザ端末は、スケジューリング対象となるＣＣの数に基づいて、コードブックサイズを決定することができる。例えば、図２Ａでは、スケジューリングされるＣＣ数が５であるため、各ＣＣ数のトランスポートブロック数（又はコードワード数）が１の場合、ユーザ端末は、ＡＣＫ／ＮＡＣＫのコードブックサイズを５としてＡＣＫ／ＮＡＣＫフィードバックを行うことができる。
【００４４】
また、ユーザ端末は、受信したＤＬ信号（例えば、ＰＤＳＣＨ）の復号結果に基づいて、無線基地局から送信されたデータが正常に受信できたかどうかを判断する。そしてユーザ端末は、ＤＣＩのビットマップに含まれる１（又は０）の位置情報とＰＤＳＣＨの復号結果を基にして、ＡＣＫ／ＮＡＣＫを生成する。
【００４５】
ユーザ端末は、ＤＣＩに含まれるビットマップが示す数と異なる数のＤＣＩ（ＰＤＣＣＨ／ＥＰＤＣＣＨ）を検出した場合には、ＤＣＩに含まれるビットマップに基づいてＡＣＫ／ＮＡＣＫを生成する。例えば、スケジューリング対象のＣＣがＣＣ＃１、＃２、＃４、＃５の場合に、ユーザ端末がＣＣ＃２、＃４、＃５のＤＬ信号（例えば、ＰＤＣＣＨ／ＥＰＤＣＣＨ）を検出し、ＣＣ＃１のＤＬ信号を検出できなかった場合を想定する（図２Ｃ参照）。この場合、ユーザ端末がＤＬ信号を検出できるＣＣ数は３個であるが、各ＣＣで送信されるＤＣＩのビットマップが「０１１０１１」となる。この場合、ユーザ端末は、ＤＣＩに含まれる「１」の数に基づいてＡＣＫ／ＮＡＣＫのコードブックサイズを４（トランスポートブロック数が１の場合）と判断してＡＣＫ／ＮＡＣＫフィードバックを制御する。また、ユーザ端末は、ＰＤＣＣＨ／ＥＰＤＣＣＨを検出できなかったＣＣ＃１に対してはＮＡＣＫと判断することができる。
【００４６】
このように、ユーザ端末がスケジューリング対象のセルに関する情報に基づいて、ＡＣＫ／ＮＡＣＫコードブックサイズの決定、ＡＣＫ／ＮＡＣＫ判定を行うことにより、ユーザ端末がＤＬ信号を検出ミスした場合であっても、ユーザ端末と無線基地局間のコードブックサイズの認識を一致させることができる。これにより、無線基地局がユーザ端末から無線基地局に送信されるＡＣＫ／ＮＡＣＫを適切に復号することができるため、通信品質の低下を抑制することができる。
【００４７】
（第２の態様）
図３Ａ、図３Ｂ、図３Ｃを用いて第１の実施の形態の第２の態様を説明する。図３Ａ、図３Ｂ、図３Ｃは、あるサブフレームにおいて各ＣＣに対するスケジューリング（ＤＬ信号の送信）状況とＤＣＩに含まれるビットマップ情報を示す図である。
【００４８】
第２の態様においては、無線基地局はスケジューリング対象となるＣＣのうち所定ＣＣ（所定セル）で送信されるＤＣＩに、スケジューリング対象となるＣＣを示すビットマップを含める。つまり、スケジューリングの対象となるＣＣであっても、ＤＣＩがビットマップを含まないＣＣが存在する。
【００４９】
例えば、図３Ａでは、スケジューリング対象のＣＣはＣＣ＃０−＃２、＃４、＃５であるが、ＰＣｅｌｌであるＣＣ＃０のＤＣＩに当該ビットマップを含めない場合を示している。つまり、無線基地局は、ビットマップを含むＤＣＩをＰＣｅｌｌ以外の所定のＣＣ（スケジューリングするＳＣｅｌｌ）で送信する。この場合、ＣＡにおいて通信が集中するＰＣｅｌｌのＤＣＩのオーバーヘッドの増大を抑制することができる。
【００５０】
図３Ａにおいて、ユーザ端末はビットマップを含むＤＣＩを検出した場合には、第１の態様と同様にビットマップに基づいてスケジューリングされたＣＣ数を判断してフィードバックするＡＣＫ／ＮＡＣＫのビット数を決定することができる。さらに、ユーザ端末はＤＣＩに含まれるビットマップに基づいて、スケジューリング対象となるＣＣを決定することができる。一方で、ユーザ端末は、ビットマップを含むＤＣＩを検出できなかった場合（例えば、ＰＣｅｌｌのＤＣＩのみ検出した場合）、ＳＣｅｌｌへのスケジューリング有無を判断できないことから、既存のＰＵＣＣＨフォーマット１ａ／１ｂを用いて、ＰＣｅｌｌのＤＬ信号に対するＡＣＫ／ＮＡＣＫのみフィードバックしてもよい（フォールバック動作）。この場合、ＰＣｅｌｌにおいても、ＰＤＣＣＨ／ＥＰＤＣＣＨを検出できない場合、ユーザ端末はＡＣＫ／ＮＡＣＫを送信しない（ＤＴＸ）としてもよい。
【００５１】
図３Ｂには、第２の態様の別の例を示す。図３Ｂでは、スケジューリング対象のＣＣはＣＣ＃０−＃２、＃４、＃５であるが、無線基地局は、設定されたＣＣのうちＰＣｅｌｌを含むＣＣ＃０−＃２、＃４のＤＣＩにはビットマップを含めず、ＣＣ＃５（セルインデックスが５）以上のＣＣのＤＣＩにビットマップを含める場合を示している。ユーザ端末がＣＣ＃５のＤＣＩでビットマップ「１１１０１１」を検出した場合、ユーザ端末は検出したビットマップに基づいてスケジューリングされたＣＣ数を判断してフィードバックするＡＣＫ／ＮＡＣＫのビット数を決定することができる。
【００５２】
図３Ｂにおいて、ユーザ端末がビットマップを含むＤＣＩを検出できなかった場合、既存のＰＵＣＣＨフォーマット３を用いて、ＣＣ＃１、＃２、＃４のＤＬ信号に対するＡＣＫ／ＮＡＣＫをフィードバックしてもよい（フォールバック動作）。ユーザ端末がビットマップを含むＤＣＩを検出できなかった場合としては、例えば、ＳＣｅｌｌインデックス５以上のＣＣのＤＣＩが検出できなかった場合、ＳＣｅｌｌインデックス５以上のＣＣがスケジューリングされない場合が挙げられる。例えば、ユーザ端末は、ＣＣ＃５においてＰＤＣＣＨ／ＥＰＤＣＣＨを検出できず、ＣＣ＃１、＃２、＃４のＰＤＣＣＨ／ＥＰＤＣＣＨを検出できた場合、ＣＣ＃０−＃２、＃４に対するＡＣＫ／ＮＡＣＫビット列をＰＵＣＣＨフォーマット３でフィードバックする。この場合、フィードバックするＨＡＲＱ−ＡＣＫのコードブックサイズは、ユーザ端末が検出したＣＣ数に基づいて決定してもよいし、所定ＣＣ（例えば、５ＣＣ）数に基づいて決定してもよい。
【００５３】
このように、所定のセルインデックス（例えば、セルインデックス５）以上のＳＣｅｌｌのＤＣＩにスケジューリング対象セルを示すビットマップを含めることにより、ＳＣｅｌｌのＰＤＳＣＨをスケジューリングするＤＣＩの制御情報オーバーヘッドを削減することができる。また、６ＣＣ以上のＣＡが設定されている場合でも、基地局がＰＣｅｌｌおよびＣＣ＃１、＃２、＃４のＳＣｅｌｌにスケジューリングを制限することで、当該ＵＥのＡＣＫ／ＮＡＣＫ送信をＰＵＣＣＨフォーマット３で行わせることができるため、５ＣＣ以下しか設定できない従来（例えばＲｅｌ．１０−１２）ＵＥのＡＣＫ／ＮＡＣＫ送信と同一ＰＲＢへ多重することが可能となり、トラフィック状態に合わせてＰＵＣＣＨのオーバーヘッドを動的に抑制することができる。
【００５４】
ここで、図３Ｃには、ＰＵＣＣＨ  ｆｏｒｍａｔ  ３によるフォールバックを行う場合を示したが、ＰＣｅｌｌのＰＤＣＣＨ／ＥＰＤＣＣＨしか検出しない場合には、さらにＰＵＣＣＨ  ｆｏｒｍａｔ  １ａ／１ｂを用いるフォールバックを行ってもよい。すなわち２段階のフォールバックを行ってもよい。
【００５５】
なお、共通サーチスペース（ＣＳＳ：Common  Search  Space）で送受信するＤＣＩは、ビットマップを含まないものとし、共通サーチスペースでのみＤＣＩを検出した場合には、ユーザ端末は、ＡＣＫ／ＮＡＣＫを従来の方式であるＰＵＣＣＨ  ｆｏｒｍａｔ  １ａ／１ｂで送信するフォールバックを行ってもよい。
【００５６】
以上、第１の実施の形態によれば、ＤＣＩにスケジューリング対象のＣＣを示すビットマップを含めることにより、無線基地局とユーザ端末におけるコードブックサイズの認識を一致させることができる。これにより、通信品質の低下を抑制することができる。また、ビットマップを用いるため、特定のＣＣがスケジューリング対象であるかを判断することができる。これにより、ユーザ端末がスケジューリング対象のＣＣにおいてＤＣＩを受信できなかった場合でも、当該ＣＣにおけるＡＣＫ／ＮＡＣＫをＮＡＣＫと判断できる。
【００５７】
（第２の実施の形態）
第２の実施の形態では、無線基地局からユーザ端末に対してスケジューリング対象のセルに関する情報を、スケジューリングされたＣＣ（セル）の数を示す情報であるＴＤＡＩ（Total  Downlink  Assignment  Index）で送信する場合について説明する。なお、ＴＤＡＩを単にＤＡＩと呼んでもよい。また、以下の実施の形態では、ＤＡＩ（Downlink  Assignment  Index）を用いて情報の送信を行っているがこれに限らず、他の信号を用いても構わない。
【００５８】
（第１の態様）
図４Ａ、図４Ｂ、図４Ｃを用いて第２の実施の形態の第１の態様を説明する。図４Ａ、図４Ｂ、図４Ｃは、あるサブフレームにおいて各ＣＣに対するスケジューリング（ＤＬ信号の送信）状況とＤＣＩに含まれるＴＤＡＩ情報を示す図である。
【００５９】
第１の態様においては、無線基地局は、スケジューリング対象となるＣＣのうちすべてのＣＣで送信されるＤＣＩに、スケジューリング対象となるＣＣ数を示すＴＤＡＩを含める。
【００６０】
例えば、図４Ａでは、スケジューリング対象のＣＣは、ＣＣ＃０−＃２、＃４、＃５であり、スケジューリング対象でないＣＣは、ＣＣ＃３となる場合を示している。この場合、スケジューリング対象のＣＣは５個であるため、ＴＤＡＩ＝５と表され、無線基地局は、ＴＤＡＩを含むＤＣＩをスケジューリング対象のＣＣ（ＣＣ＃０−＃２、＃４、＃５）を介してユーザ端末に送信する。
【００６１】
また、図４Ｂでは、スケジューリング対象のＣＣは、ＣＣ＃１、＃２、＃４、＃５であり、スケジューリング対象でないＣＣは、ＣＣ＃０、ＣＣ＃３となる場合を示している。この場合、ＴＤＡＩ＝４と表され、無線基地局は、ＴＤＡＩを含むＤＣＩをスケジューリング対象のＣＣ（ＣＣ＃１、＃２、＃４、＃５）を介してユーザ端末に送信する。
【００６２】
ユーザ端末は、ＤＣＩに含まれるＴＤＡＩが示す数に基づいてＡＣＫ／ＮＡＣＫのコードブックサイズを決定する。例えば、図４Ａでは、ＴＤＡＩ＝５であるため、ユーザ端末は、スケジューリングされているＣＣ数が５であると判断し、トランスポートブロック（又はコードワード）数等に基づいてコードブックサイズを決定することができる。このように、ユーザ端末は、実際に検出したＰＤＣＣＨ／ＥＰＤＣＣＨの総数に関わらず、ＴＤＡＩから求まるスケジューリングＣＣ数に基づいて、ＨＡＲＱ−ＡＣＫのコードブックサイズを決定することができる。
【００６３】
また、ユーザ端末は、受信したＤＬ信号（例えば、ＰＤＳＣＨ）の復号結果に基づいて、無線基地局から送信されたデータが正常に受信できたかどうかを判断する。ＴＤＡＩが示す数と、実際に検出されたＰＤＣＣＨ／ＥＰＤＣＣＨの総数が一致する場合、ユーザ端末は、ＰＤＳＣＨの復号結果を基にＡＣＫ／ＮＡＣＫを生成し、ＴＤＡＩに基づいて決定したＡＣＫ／ＮＡＣＫビット列を無線基地局に対して送信する。
【００６４】
一方、ＴＤＡＩが示す数と、実際に検出されたＰＤＣＣＨ／ＥＰＤＣＣＨの総数が一致しない場合、ＴＤＡＩには、スケジューリングされたセルの数以外の情報が含まれない。このため、ユーザ端末はどのＣＣで検出ミス・誤検出が発生したかを判別することができない。したがって、ユーザ端末はＴＤＡＩが示す値に応じたＮＡＣＫをＡＣＫ／ＮＡＣＫとして無線基地局に送信（フィードバック）する。
【００６５】
例えば、図４Ｃに示す場合、ＴＤＡＩ＝４であるにも関わらず、ユーザ端末がＤＣＩ（ＰＤＣＣＨ／ＥＰＤＣＣＨ）を受信したＣＣは３つ（ＣＣ＃１、＃４、＃５）である。この場合、ユーザ端末は、どのＣＣにおいて、検出ミスや誤検出が起きたのかを判別することができないため、ＴＤＡＩが示す数、すなわち４つのＣＣに対応する数のＮＡＣＫをＡＣＫ／ＮＡＣＫとして無線基地局に送信する。このようにすることで、ユーザ端末と無線基地局におけるコードブックサイズの認識を一致させることができる。
【００６６】
（第２の態様）
図５Ａ、図５Ｂ、図５Ｃを用いて第２の実施の形態の第２の態様を説明する。図５Ａ、図５Ｂ、図５Ｃは、あるサブフレームにおいて各ＣＣに対するスケジューリング（ＤＬ信号の送信）状況とＤＣＩに含まれるＴＤＡＩ情報を示す図である。
【００６７】
第２の態様においては、無線基地局はスケジューリング対象となるＣＣのうち所定ＣＣ（所定セル）で送信されるＤＣＩに、スケジューリング対象となるＣＣの数を示すＴＤＡＩを含める。つまり、スケジューリングの対象となるＣＣであっても、ＤＣＩがＴＤＡＩを含まないＣＣが存在する。
【００６８】
例えば、図５Ａでは、スケジューリング対象のＣＣはＣＣ＃０−＃２、＃４、＃５であるが、ＰＣｅｌｌであるＣＣ＃０のＤＣＩに当該ＴＤＡＩを含めない場合を示している。つまり、無線基地局は、ＴＤＡＩを含むＤＣＩをＰＣｅｌｌ以外の所定のＣＣ（スケジューリングするＳＣｅｌｌ）で送信する。この場合、ＣＡにおいて通信が集中するＰＣｅｌｌのＤＣＩのオーバーヘッドの増大を抑制することができる。
【００６９】
図５Ａにおいて、ユーザ端末はＴＤＡＩを含むＤＣＩを検出した場合には、第１の態様と同様にＴＤＡＩに基づいてスケジューリングされたＣＣ数を判断してフィードバックするＡＣＫ／ＮＡＣＫのビット数を決定することができる。一方で、ユーザ端末は、ＴＤＡＩを含むＤＣＩを検出できなかった場合（例えば、ＰＣｅｌｌのＤＣＩのみ検出した場合）、ＳＣｅｌｌへのスケジューリング有無を判断できないことから、既存のＰＵＣＣＨフォーマット１ａ／１ｂを用いて、ＰＣｅｌｌのＤＬ信号に対するＡＣＫ／ＮＡＣＫのみフィードバックしてもよい（フォールバック動作）。この場合、ＰＣｅｌｌにおいても、ＰＤＣＣＨ／ＥＰＤＣＣＨを検出できない場合、ユーザ端末はＡＣＫ／ＮＡＣＫを送信しない（ＤＴＸ）としてもよい。
【００７０】
図５Ｂには、第２の態様の別の例を示す。図５Ｂでは、スケジューリング対象のＣＣはＣＣ＃０−＃２、＃４、＃５であるが、無線基地局は、設定されたＣＣのうちＰＣｅｌｌを含むＣＣ＃０−＃２、＃４のＤＣＩにはＴＤＡＩを含めず、ＣＣ＃５（セルインデックスが５）以上のＣＣのＤＣＩにＴＤＡＩを含める場合を示している。ユーザ端末がＣＣ＃５のＤＣＩでＴＤＡＩ＝５を検出した場合、ユーザ端末は検出したＴＤＡＩに基づいてスケジューリングされたＣＣ数を判断してフィードバックするＡＣＫ／ＮＡＣＫのビット数を決定することができる。
【００７１】
図５Ｂにおいて、ユーザ端末がＴＤＡＩを含むＤＣＩを検出できなかった場合、既存のＰＵＣＣＨフォーマット３を用いて、ＣＣ＃１、＃２、＃４のＤＬ信号に対するＡＣＫ／ＮＡＣＫをフィードバックしてもよい（フォールバック動作）。ユーザ端末がＴＤＡＩを含むＤＣＩを検出できなかった場合としては、例えば、ＳＣｅｌｌインデックス５以上のＣＣのＤＣＩが検出できなかった場合、ＳＣｅｌｌインデックス５以上のＣＣがスケジューリングされない場合が挙げられる。例えば、ユーザ端末は、ＣＣ＃５においてＰＤＣＣＨ／ＥＰＤＣＣＨを検出できず、ＣＣ＃１、＃２、＃４のＰＤＣＣＨ／ＥＰＤＣＣＨを検出できた場合、ＣＣ＃０−＃２、＃４に対するＡＣＫ／ＮＡＣＫビット列をＰＵＣＣＨフォーマット３でフィードバックする。この場合、フィードバックするＨＡＲＱ−ＡＣＫのコードブックサイズは、ユーザ端末が検出したＣＣ数に基づいて決定してもよいし、所定ＣＣ（例えば、５ＣＣ）数に基づいて決定してもよい。
【００７２】
このように、所定のセルインデックス（例えば、セルインデックス５）以上のＳＣｅｌｌのＤＣＩにスケジューリング対象となるセル数を示す情報（ＴＤＡＩ）を含めることにより、ＳＣｅｌｌのＰＤＳＣＨをスケジューリングするＤＣＩの制御情報オーバーヘッドを削減することができる。また、６ＣＣ以上のＣＡが設定されている場合でも、基地局がＰＣｅｌｌおよびＣＣ＃１、＃２、＃４のＳＣｅｌｌにスケジューリングを制限することで、当該ＵＥのＡＣＫ／ＮＡＣＫ送信をＰＵＣＣＨフォーマット３で行わせることができるため、５ＣＣ以下しか設定できない従来（例えばＲｅｌ．１０−１２）ＵＥのＡＣＫ／ＮＡＣＫ送信と同一ＰＲＢへ多重することが可能となり、トラフィック状態に合わせてＰＵＣＣＨのオーバーヘッドを動的に抑制することができる。
【００７３】
ここで、図５Ｃには、ＰＵＣＣＨ  ｆｏｒｍａｔ  ３によるフォールバックを行う場合を示したが、ＰＣｅｌｌのＰＤＣＣＨ／ＥＰＤＣＣＨしか検出しない場合には、さらにＰＵＣＣＨ  ｆｏｒｍａｔ  １ａ／１ｂを用いるフォールバックを行ってもよい。すなわち２段階のフォールバックを行ってもよい。
【００７４】
なお、共通サーチスペース（ＣＳＳ）で送受信するＤＣＩは、ＴＤＡＩを含まないものとし、共通サーチスペースでのみＤＣＩを検出した場合には、ユーザ端末は、ＡＣＫ／ＮＡＣＫを従来の方式であるＰＵＣＣＨ  ｆｏｒｍａｔ  １ａ／１ｂで送信するフォールバックを行ってもよい。
【００７５】
以上、第２の実施の形態によれば、ＤＣＩにスケジューリング対象のＣＣの数を示すＴＤＡＩを含めることにより、無線基地局とユーザ端末におけるコードブックサイズの認識を一致させることができる。これにより、通信品質の低下を抑制することができる。また、ＴＤＡＩを用いるため、少ない情報量でスケジューリングされたＣＣの数を通知することができるため、通信品質の低下を抑制することができる。
【００７６】
（第３の実施の形態）
第３の実施の形態では、無線基地局からユーザ端末に対してスケジューリング対象のセルに関する情報として、スケジューリングされたＣＣの累積値を示す情報（例えば、ＡＤＡＩ（Accumulated  DAI））を送信する場合について説明する。この場合、第２の実施の形態で説明したスケジューリングされたＣＣ数を示すＴＤＡＩに加えて、ＣＣの累積値を示すＡＤＡＩを送信するＴ／Ａ  ＤＡＩ（Total/Accumulated  DAI）方式とすることができる。
【００７７】
（第１の態様）
図６Ａ、図６Ｂ、図６Ｃを用いて第３の実施の形態の第１の態様を説明する。図６Ａ、図６Ｂ、図６Ｃは、あるサブフレームにおいて各ＣＣに対するスケジューリング（ＤＬ信号の送信）状況とＤＣＩに含まれる情報（ＴＤＡＩ、ＡＤＡＩ）を示す図である。
【００７８】
第１の態様においては、無線基地局はスケジューリング対象となるＣＣのうちすべてのＣＣで送信されるＤＣＩに、スケジューリング対象となるＣＣの数を示す情報であるＴＤＡＩと、ＣＣの累積値に関する情報を示すＡＤＡＩを含める。ここで、累積値とは、スケジューリングの対象セルに対して、セルインデックスに対応するように重複なく連続して設定される値である。そのため、ＴＤＡＩは、スケジューリングされるＣＣのＤＣＩに対して同じ値が設定されるが、ＡＤＡＩは、スケジューリングされるＣＣのＤＣＩに対してそれぞれ異なる値が設定される。
【００７９】
例えば、図６Ａでは、スケジューリング対象のＣＣは、ＣＣ＃０−＃２、＃４、＃５であり、スケジューリング対象でないＣＣは、ＣＣ＃３である。この場合、スケジューリング対象のすべてのＣＣ（ＣＣ＃０−＃２、＃４、＃５）に対してＴＤＡＩ＝５が送信される。さらに、スケジューリング対象のＣＣ（ＣＣ＃０−＃２、＃４、＃５）に対して、セルの累積値を示すＡＤＡＩが送信される。図６Ａに示す例では、スケジューリングされるＣＣのうち、セルインデックスが小さいＣＣから順にＡＤＡＩの値を設定する場合を示している。
【００８０】
例えば、ＣＣ＃０にＡＤＡＩ＝１、ＣＣ＃１にＡＤＡＩ＝２、ＣＣ＃２にＡＤＡＩ＝３、ＣＣ＃４にＡＤＡＩ＝４、ＣＣ＃５にＡＤＡＩ＝５が設定される。このように設定されたＴＤＡＩ及びＡＤＡＩを含むＤＣＩが無線基地局からスケジューリング対象のＣＣ（ＣＣ＃０−＃２、＃４、＃５）を介してユーザ端末に送信される。
【００８１】
また、図６Ｂでは、スケジューリング対象のＣＣは、ＣＣ＃１、＃２、＃４、＃５であるため、スケジューリング対象のＣＣに対してＴＤＡＩ＝４が設定される。また、図６Ａと同様に各ＣＣに対して異なるＡＤＡＩ値が設定され、ＴＤＡＩ、ＡＤＡＩを含むＤＣＩが無線基地局からスケジューリング対象のＣＣ（ＣＣ＃１、＃２、＃４、＃５）を介してユーザ端末に送信される。
【００８２】
ユーザ端末は、受信したＴＤＡＩに基づいて、ＨＡＲＱ−ＡＣＫのコードブックサイズを決定することができる。また、ユーザ端末は、受信したＡＤＡＩと、ＰＤＳＣＨの復号結果に基づいてＣＣに対応するＡＣＫ／ＮＡＣＫを決定することができる。
【００８３】
第１の態様において、ユーザ端末が検出するＡＤＡＩが連続した値となっておらず、ＡＤＡＩに抜けが存在する場合には、ＡＤＡＩが抜けているＣＣで、ＰＤＣＣＨ／ＥＰＤＣＣＨの検出ミスが発生したことがわかる。例えば、図６Ｃでは、ＣＣ＃１に対応するＡＤＡＩ＝２が抜けているため、この部分で検出ミスが発生したことがわかる。したがって、ユーザ端末は、該当するＣＣ（図６ＣではＣＣ＃１）に対応するＡＣＫ／ＮＡＣＫを、ＮＡＣＫとして送信する。
【００８４】
また、ＡＤＡＩの最大値とＴＤＡＩの値が一致しない場合には、１つ又は複数のセルインデックスの大きいＣＣのＤＣＩをユーザ端末が検出ミスしていることになる。この場合、ユーザ端末は該当するＣＣに対応するＡＣＫ／ＮＡＣＫをＮＡＣＫとして送信してもよい。例えば、ユーザ端末が受信したＴＤＡＩが５であり、受信したＡＤＡＩの最大が４である場合（図６Ａにおいて、ＣＣ＃５を検出ミスした場合）には、ＡＤＡＩ＝５のＣＣを検出ミスしていることがわかる。この場合には、当該ＣＣをＮＡＣＫとして、ＡＣＫ／ＮＡＣＫを送信してよい。
【００８５】
このように、第３の実施の形態の第１の態様によれば、各ＣＣで送信されるＤＣＩにＡＤＡＩとＴＤＡＩが含まれるため、ユーザ端末はＡＤＡＩとＴＤＡＩに基づいてどのＣＣが検出ミスを起こしたかを把握することができる。したがって、ユーザ端末は、スケジューリングされたＣＣ数に基づいてフィードバックするＡＣＫ／ＮＡＣＫのコードブックサイズを適切に設定すると共に、検出ミスをしたＣＣについて適切に把握することができる。これにより、ユーザ端末が検出ミスを発見した場合に、無線基地局に対してＡＣＫ／ＮＡＣＫとして、全てをＮＡＣＫで送信する必要がなくなるため、無線基地局による無駄な再送を防ぐことができ、スループットを向上することができる。
【００８６】
（第２の態様）
図７Ａ、図７Ｂ、図７Ｃを用いて第３の実施の形態の第２の態様を説明する。図７Ａ、図７Ｂ、図７Ｃは、あるサブフレームにおいて各ＣＣに対するスケジューリング（ＤＬ信号の送信）状況とＤＣＩに含まれるＴＤＡＩ情報及びＡＤＡＩ情報を示す図である。
【００８７】
第２の態様においては、無線基地局はスケジューリング対象となるＣＣのうち所定ＣＣ（所定セル）で送信されるＤＣＩに、スケジューリング対象となるＣＣの数を示すＴＤＡＩとＣＣの累積値を示すＡＤＡＩを含める。つまり、スケジューリングの対象となるＣＣであっても、ＤＣＩがＴＤＡＩ及びＡＤＡＩを含まないＣＣが存在する。
【００８８】
例えば、図７Ａでは、スケジューリング対象のＣＣはＣＣ＃０−＃２、＃４、＃５であるが、ＰＣｅｌｌであるＣＣ＃０のＤＣＩに当該ＴＤＡＩ及びＡＤＡＩを含めない場合を示している。つまり、無線基地局は、ＴＤＡＩ及びＡＤＡＩを含むＤＣＩをＰＣｅｌｌ以外の所定のＣＣ（スケジューリングするＳＣｅｌｌ）で送信する。この場合、ＣＡにおいて通信が集中するＰＣｅｌｌのＤＣＩのオーバーヘッドの増大を抑制することができる。
【００８９】
図７Ａにおいて、ユーザ端末はＴＤＡＩ及びＡＤＡＩを含むＤＣＩを検出した場合には、第１の態様と同様にＴＤＡＩ及びＡＤＡＩに基づいてスケジューリングされたＣＣ数を判断してフィードバックするＡＣＫ／ＮＡＣＫのビット数を決定することができる。一方で、ユーザ端末は、ＴＤＡＩ及びＡＤＡＩを含むＤＣＩを検出できなかった場合（例えば、ＰＣｅｌｌのＤＣＩのみ検出した場合）、ＳＣｅｌｌへのスケジューリング有無を判断できないことから、既存のＰＵＣＣＨフォーマット１ａ／１ｂを用いて、ＰＣｅｌｌのＤＬ信号に対するＡＣＫ／ＮＡＣＫのみフィードバックしてもよい（フォールバック動作）。この場合、ＰＣｅｌｌにおいても、ＰＤＣＣＨ／ＥＰＤＣＣＨを検出できない場合、ユーザ端末はＡＣＫ／ＮＡＣＫを送信しない（ＤＴＸ）としてもよい。
【００９０】
図７Ｂには、第２の態様の別の例を示す。図７Ｂでは、スケジューリング対象のＣＣはＣＣ＃０−＃２、＃４、＃５であるが、無線基地局は、設定されたＣＣのうちＰＣｅｌｌを含むＣＣ＃０−＃２、＃４のＤＣＩにはＴＤＡＩ及びＡＤＡＩを含めず、ＣＣ＃５（セルインデックスが５）以上のＣＣのＤＣＩにＴＤＡＩ及びＡＤＡＩを含める場合を示している。ユーザ端末がＣＣ＃５のＤＣＩでＴＤＡＩ＝５及びＡＤＡＩ＝５を検出した場合、ユーザ端末は検出したＴＤＡＩ及び／又はＡＤＡＩに基づいてスケジューリングされたＣＣ数を判断してフィードバックするＡＣＫ／ＮＡＣＫのビット数を決定することができる。
【００９１】
図７Ｂにおいて、ユーザ端末がＴＤＡＩ及びＡＤＡＩを含むＤＣＩを検出できなかった場合、既存のＰＵＣＣＨフォーマット３を用いて、ＣＣ＃１、＃２、＃４のＤＬ信号に対するＡＣＫ／ＮＡＣＫをフィードバックしてもよい（フォールバック動作）。ユーザ端末がＴＤＡＩ及びＡＤＡＩを含むＤＣＩを検出できない場合としては、例えば、ＳＣｅｌｌインデックス５以上のＣＣのＤＣＩが検出できない場合、ＳＣｅｌｌインデックス５以上のＣＣがスケジューリングされない場合が挙げられる。例えば、ユーザ端末は、ＣＣ＃５においてＰＤＣＣＨ／ＥＰＤＣＣＨを検出できず、ＣＣ＃１、＃２、＃４のＰＤＣＣＨ／ＥＰＤＣＣＨを検出できた場合、ＣＣ＃０−＃２、＃４に対するＡＣＫ／ＮＡＣＫビット列をＰＵＣＣＨフォーマット３でフィードバックする。この場合、フィードバックするＨＡＲＱ−ＡＣＫのコードブックサイズは、ユーザ端末が検出したＣＣ数に基づいて決定してもよいし、所定ＣＣ（例えば、５ＣＣ）数に基づいて決定してもよい。
【００９２】
このように、所定のセルインデックス（例えば、セルインデックス５）以上のＳＣｅｌｌのＤＣＩにスケジューリング対象となるセル数や累積値を示す情報（ＴＤＡＩ及びＡＤＡＩ）を含めることにより、ＳＣｅｌｌのＰＤＳＣＨをスケジューリングするＤＣＩの制御情報オーバーヘッドを削減することができる。また、６ＣＣ以上のＣＡが設定されている場合でも、基地局がＰＣｅｌｌおよびＣＣ＃１、＃２、＃４のＳＣｅｌｌにスケジューリングを制限することで、当該ＵＥのＡＣＫ／ＮＡＣＫ送信をＰＵＣＣＨフォーマット３で行わせることができるため、５ＣＣ以下しか設定できない従来（例えばＲｅｌ．１０−１２）ＵＥのＡＣＫ／ＮＡＣＫ送信と同一ＰＲＢへ多重することが可能となり、トラフィック状態に合わせてＰＵＣＣＨのオーバーヘッドを動的に抑制することができる。
【００９３】
ここで、図７Ｃに示す場合には、ＰＵＣＣＨ  ｆｏｒｍａｔ  ３によるフォールバックを行う場合を示したが、ＰＣｅｌｌのＰＤＣＣＨ／ＥＰＤＣＣＨしか検出しない場合には、さらにＰＵＣＣＨ  ｆｏｒｍａｔ  １ａ／１ｂを用いるフォールバックを行ってもよい。すなわち２段階のフォールバックを行ってもよい。
【００９４】
なお、共通サーチスペース（ＣＳＳ）で送受信するＤＣＩは、ＴＤＡＩ及びＡＤＡＩを含まないものとし、共通サーチスペースでのみＤＣＩを検出した場合には、ユーザ端末は、ＡＣＫ／ＮＡＣＫを従来の方式であるＰＵＣＣＨ  ｆｏｒｍａｔ  １ａ／１ｂで送信するフォールバックを行ってもよい。
【００９５】
以上、第３の実施の形態によれば、ＤＣＩにスケジューリング対象のＣＣの数を示すＴＤＡＩ及び累積値を示すＡＤＡＩを含めることにより、無線基地局とユーザ端末におけるコードブックサイズの認識を一致させることができる。これにより、通信品質の低下を抑制することができる。また、ＴＤＡＩ及びＡＤＡＩを用いるため、特定のＣＣがスケジューリング対象であるかを判断することができる。これにより、ユーザ端末がスケジューリング対象のＣＣにおいてＤＣＩを受信できなかった場合でも、当該ＣＣにおけるＡＣＫ／ＮＡＣＫをＮＡＣＫと判断できる。
【００９６】
なお、上述した実施の形態では、ＡＤＡＩをＣＣのセルインデックスと昇順に対応付けたが、ＡＤＡＩの値の対応付けの方法はこれに限らない。例えば、ＡＤＡＩと、セルインデックスを降順に対応付けしてもよい。この場合は、例えば、最も小さいセルインデックスＣＣにＴＤＡＩの値が対応づけられる。この場合でも、ユーザ端末は、上述した場合と同様に検出ミスしたＣＣを検出できる。
【００９７】
（第４の実施の形態）
第４の実施の形態では、無線基地局からユーザ端末に対して送信されるスケジューリング対象のセルに関する情報として、セルインデックスが最も大きいセルを識別する情報（例えば、ＬＤＩ（Last  Downlink  assignment  Index、Last  Downlink  grant  Indicator））を送信する場合について説明する。この場合、第３の実施の形態で説明したＣＣの累積値を示すＡＤＡＩに加えて、セルインデックスが最も大きいセルを示すＬＤＩを送信するＡ  ＤＡＩ／ＬＤＩ（Accumulated  DAI／LDI）方式とすることができる。
【００９８】
（第１の態様）
図８Ａ、図８Ｂ、図８Ｃを用いて第４の実施形態の第１の態様を説明する。図８Ａ、図８Ｂ、図８Ｃは、あるサブフレームにおいて各ＣＣに対するスケジューリング（ＤＬ信号の送信）状況とＤＣＩに含まれる情報（ＬＤＩ、ＡＤＡＩ）を示す図である。
【００９９】
第１の態様においては、無線基地局は、スケジューリング対象となるＣＣのうちすべてのＣＣで送信されるＤＣＩに、ＣＣの累計値に関する情報を示すＡＤＡＩと、ＣＣ  ｉｎｄｅｘ（セルインデックス）が最も大きいセルを識別するためのＬＤＩを含める。ここで、ＬＤＩは、例えば、１ビットで構成されてよい。また、スケジューリング対象のセルのうち最もセルインデックスが大きいセルをＬＤＩ＝１で示し、それ以外のセルをＬＤＩ＝０で示すものとしてよい。
【０１００】
例えば、図８Ａでは、スケジューリング対象のＣＣは、ＣＣ＃０−＃２、＃４、＃５であり、スケジューリング対象でないＣＣは、ＣＣ＃３である。この場合、ＣＣ＃０−＃２、＃４において、ＬＤＩ＝０と、各ＣＣに対応したＡＤＡＩを含むＤＣＩがユーザ端末に送信される。また、最もセルインデックスが大きいＣＣ＃５においては、ＬＤＩ＝１と、ＡＤＡＩ＝５を含むＤＣＩがユーザ端末に送信される。図８Ａに示す例では、セルインデックスが小さいものから順にＡＤＡＩの番号を設定する場合を示している。無線基地局は、このように設定されたＬＤＩ及びＡＤＡＩを含むＤＣＩを、スケジューリング対象のＣＣ（ＣＣ＃０−＃２、＃４、＃５）を介してユーザ端末に送信する。
【０１０１】
また、図８Ｂでは、スケジューリング対象のＣＣは、ＣＣ＃１、＃２、＃４、＃５であるため、ＣＣ＃５にＬＤＩ＝１が対応づけられ、ＡＤＡＩ、ＬＤＩを含むＤＣＩがスケジューリング対象のＣＣ（ＣＣ＃１、＃２、＃４、＃５）を介してユーザ端末に送信される。
【０１０２】
ユーザ端末は、受信したＬＤＩ及びＡＩＤＩに基づいてコードブックサイズを決定することができる。具体的には、ＬＤＩ＝１となるＣＣにおけるＡＤＡＩの値をコードブックサイズとすることができる。また、ユーザ端末は、受信したＡＤＡＩとＰＤＳＣＨの復号結果に基づいて当該ＣＣに対応するＡＣＫ／ＮＡＣＫを決定することができる。さらに、ＡＤＡＩが連続した値となっておらず、ＡＤＡＩに抜けがある場合には、抜けのあるＡＤＡＩに対応するＣＣにおいて、検出ミスが発生したことがわかる。この場合、ユーザ端末は当該ＣＣに対応するＡＣＫ／ＮＡＣＫはＮＡＣＫであるとして、ＮＡＣＫを生成して無線基地局に送信してもよい。
【０１０３】
ユーザ端末がＬＤＩ＝１となるＣＣについて受信できなかった場合には、ユーザ端末が当該ＣＣを検出ミスしたことがわかる。この場合、ユーザ端末はＤＬ信号を検出したＣＣのうち最もセルインデックスが大きいＣＣより、さらにセルインデックスが大きい１つまたは複数のＣＣのＰＤＣＣＨ／ＥＰＤＣＣＨについて受信できていないことがわかる。
【０１０４】
当該ＣＣは、無線基地局においてスケジューリングされたにも関わらずユーザ端末が信号を受信できていない。ここで、ＰＤＣＣＨ／ＥＰＤＣＣＨの検出失敗確率は、０．１％であるため、２回以上連続して検出失敗する確率は非常に低く発生を無視しても構わない。そのため、ＬＤＩ＝１となるＣＣをユーザ端末が受信できなかった場合には、ＬＤＩ＝１となる１つのＣＣの検出のみを失敗したと想定して動作してもよい。
【０１０５】
したがって、ユーザ端末は受信に失敗したＬＤＩ＝１を示すＣＣのＮＡＣＫや、ＰＤＳＣＨの復号結果及びＡＤＡＩの受信結果に基づいてＡＣＫ／ＮＡＣＫを作成し、無線基地局に送信すればよい。
【０１０６】
例えば、図８Ｃでは、ユーザ端末が、スケジューリングされたセルのうちセルインデックスが最も大きいＣＣ＃５を検出できなかった場合を示している。ここでは、ＣＣ＃４がＬＤＩ＝０であり、ＣＣ＃４より大きいＣＣインデックスを有するＣＣはＣＣ＃５のみであるため、ユーザ端末はＣＣ＃５がＬＤＩ＝１であると判断することが可能である。また、この時ＣＣ＃４におけるＡＤＡＩが４であるため、ＣＣ＃５におけるＡＤＡＩは５であるとユーザ端末は判断できる。したがって、この場合、ユーザ端末はＣＣ＃５のＬＤＩ（ＬＤＩ＝１）及びＡＤＡＩ（ＡＤＡＩ＝５）の値に基づいて、ＡＣＫ／ＮＡＣＫのコードブックサイズを決定してＡＣＫ／ＮＡＣＫフィードバックを制御することができる。
【０１０７】
このように第４の実施の形態の第１の形態によれば、少ない情報量（例えば、１ビット）でスケジューリングされたＣＣのうち最もＣＣインデックスが大きいＣＣを判別することができる。これにより、ＤＣＩのオーバーヘッドの増加を抑制することができる。また、ユーザ端末がＬＤＩとＡＤＡＩに基づいてＡＣＫ／ＮＡＣＫのサイズを適切に判断することができるため、通信品質の低下を抑制することが可能となる。
【０１０８】
（第２の態様）
図９Ａ、図９Ｂ、図９Ｃを用いて第４の実施の形態の第２の態様を説明する。図９Ａ、図９Ｂ、図９Ｃは、あるサブフレームにおいて各ＣＣに対するスケジューリング（ＤＬ信号の送信）状況とＤＣＩに含まれるＬＤＩ情報及びＡＤＡＩ情報を示す図である。
【０１０９】
第２の態様においては、無線基地局はスケジューリング対象となるＣＣのうち所定ＣＣ（所定セル）で送信されるＤＣＩに、セルインデックスが最も大きいセルを識別する情報であるＬＤＩとＣＣの累積値を示すＡＤＡＩを含める。つまり、スケジューリングの対象となるＣＣであっても、ＤＣＩがＬＤＩ及びＡＤＡＩを含まないＣＣが存在する。
【０１１０】
例えば、図９Ａでは、スケジューリング対象のＣＣはＣＣ＃０−＃２、＃４、＃５であるが、ＰＣｅｌｌであるＣＣ＃０のＤＣＩに当該ＬＤＩ及びＡＤＡＩを含めない場合を示している。つまり、無線基地局は、ＬＤＩ及びＡＤＡＩを含むＤＣＩをＰＣｅｌｌ以外の所定のＣＣ（スケジューリングするＳＣｅｌｌ）で送信する。この場合、ＣＡにおいて通信が集中するＰＣｅｌｌのＤＣＩのオーバーヘッドの増大を抑制することができる。
【０１１１】
図９Ａにおいて、ユーザ端末はＬＤＩ及びＡＤＡＩを含むＤＣＩを検出した場合には、第１の態様と同様にＬＤＩ及びＡＤＡＩに基づいてスケジューリングされたＣＣ数を判断してフィードバックするＡＣＫ／ＮＡＣＫのビット数を決定することができる。図９Ａでは、ＬＤＩ＝１となるＣＣ＃５において、ＤＣＩがＬＤＩ及びＡＤＡＩを含む。このため、ユーザ端末はＬＤＩ及びＡＤＡＩに基づいてスケジューリングされたＣＣ数を判断することが可能である。このように、ＬＤＩ＝１となるＣＣ、すなわちスケジューリングされたＣＣのうちセルインデックスが最も大きいＣＣを所定ＣＣに含めることで、ユーザ端末は、ＤＣＩに含まれるＬＤＩ及びＡＤＡＩに基づいて、スケジューリングされたＣＣ数を判断することができる。
【０１１２】
一方で、ユーザ端末は、ＬＤＩ及びＡＤＡＩを含むＤＣＩを検出できなかった場合（例えば、ＰＣｅｌｌのＤＣＩのみ検出した場合）、ＳＣｅｌｌへのスケジューリング有無を判断できないことから、既存のＰＵＣＣＨフォーマット１ａ／１ｂを用いて、ＰＣｅｌｌのＤＬ信号に対するＡＣＫ／ＮＡＣＫのみフィードバックしてもよい（フォールバック動作）。この場合、ＰＣｅｌｌにおいても、ＰＤＣＣＨ／ＥＰＤＣＣＨを検出できない場合、ユーザ端末はＡＣＫ／ＮＡＣＫを送信しない（ＤＴＸ）としてもよい。
【０１１３】
図９Ｂには、第２の態様の別の例を示す。図９Ｂでは、スケジューリング対象のＣＣはＣＣ＃０−＃２、＃４、＃５であるが、無線基地局は、設定されたＣＣのうちＰＣｅｌｌを含むＣＣ＃０−＃２、＃４のＤＣＩにはＬＤＩ及びＡＤＡＩを含めず、ＣＣ＃５（セルインデックスが５）以上のＣＣのＤＣＩにＬＤＩ及びＡＤＡＩを含める場合を示している。ユーザ端末がＣＣ＃５のＤＣＩでＬＤＩ＝１及びＡＤＡＩ＝５を検出した場合、ユーザ端末は検出したＬＤＩ＝１となるＣＣにおけるＡＤＡＩの値に基づいてスケジューリングされたＣＣ数を判断してフィードバックするＡＣＫ／ＮＡＣＫのビット数を決定することができる。
【０１１４】
図９Ｂにおいて、ユーザ端末がＬＤＩ及びＡＤＡＩを含むＤＣＩを検出できなかった場合、既存のＰＵＣＣＨフォーマット３を用いて、ＣＣ＃１、＃２、＃４のＤＬ信号に対するＡＣＫ／ＮＡＣＫをフィードバックしてもよい（フォールバック動作）。ユーザ端末がＬＤＩ及びＡＤＡＩを含むＤＣＩを検出できない場合としては、例えば、ＳＣｅｌｌインデックス５以上のＣＣのＤＣＩが検出できない場合、ＳＣｅｌｌインデックス５以上のＣＣがスケジューリングされない場合が挙げられる。例えば、ユーザ端末は、ＣＣ＃５においてＰＤＣＣＨ／ＥＰＤＣＣＨを検出できず、ＣＣ＃１、＃２、＃４のＰＤＣＣＨ／ＥＰＤＣＣＨを検出できた場合、ＣＣ＃０−＃２、＃４に対するＡＣＫ／ＮＡＣＫビット列をＰＵＣＣＨフォーマット３でフィードバックする。この場合、フィードバックするＨＡＲＱ−ＡＣＫのコードブックサイズは、ユーザ端末が検出したＣＣ数に基づいて決定してもよいし、所定ＣＣ（例えば、５ＣＣ）数に基づいて決定してもよい。
【０１１５】
このように、所定のセルインデックス（例えば、セルインデックス５）以上のＳＣｅｌｌのＤＣＩにスケジューリング対象となるセルの累積値や最大セルインデックスのセルを識別する情報（ＬＤＩ及びＡＤＡＩ）を含めることにより、ＳＣｅｌｌのＰＤＳＣＨをスケジューリングするＤＣＩの制御情報オーバーヘッドを削減することができる。また、６ＣＣ以上のＣＡが設定されている場合でも、基地局がＰＣｅｌｌおよびＣＣ＃１、＃２、＃４のＳＣｅｌｌにスケジューリングを制限することで、当該ＵＥのＡＣＫ／ＮＡＣＫ送信をＰＵＣＣＨフォーマット３で行わせることができるため、５ＣＣ以下しか設定できない従来（例えばＲｅｌ．１０−１２）ＵＥのＡＣＫ／ＮＡＣＫ送信と同一ＰＲＢへ多重することが可能となり、トラフィック状態に合わせてＰＵＣＣＨのオーバーヘッドを動的に抑制することができる。
【０１１６】
ここで、図９Ｃに示す場合には、ＰＵＣＣＨ  ｆｏｒｍａｔ  ３によるフォールバックを行う場合を示したが、ＰＣｅｌｌのＰＤＣＣＨ／ＥＰＤＣＣＨしか検出しない場合には、さらにＰＵＣＣＨ  ｆｏｒｍａｔ  １ａ／１ｂを用いるフォールバックを行ってもよい。すなわち２段階のフォールバックを行ってもよい。
【０１１７】
なお、共通サーチスペース（ＣＳＳ）で送受信するＤＣＩは、ＬＤＩ及びＡＤＡＩを含まないものとし、共通サーチスペースでのみＤＣＩを検出した場合には、ユーザ端末は、ＡＣＫ／ＮＡＣＫを従来の方式であるＰＵＣＣＨ  ｆｏｒｍａｔ  １ａ／１ｂで送信するフォールバックを行ってもよい。
【０１１８】
以上、第４の実施の形態によれば、ＤＣＩにセルインデックスが最も大きいセルを識別する情報であるＬＤＩ及び累積値を示すＡＤＡＩを含めることにより、無線基地局とユーザ端末におけるコードブックサイズの認識を一致させることができる。これにより、通信品質の低下を抑制することができる。また、ＬＤＩ及びＡＤＡＩを用いるため、特定のＣＣがスケジューリング対象であるかを判断することができる。これにより、ユーザ端末がスケジューリング対象のＣＣにおいてＤＣＩを受信できなかった場合でも、当該ＣＣにおけるＡＣＫ／ＮＡＣＫをＮＡＣＫと判断できる。
【０１１９】
（変形例）
なお、上記実施の形態では、スケジューリング対象のセルに関する情報を物理レイヤシグナリングであるＤＣＩのビットマップや、ＤＡＩ（ＴＤＡＩや、ＡＤＡＩ、ＬＤＡＩを含む）に含める場合を示したが、これに限られない。例えば、ＤＣＩにおける他のビットフィールドや、新規に定義されたビットフィールドを利用してスケジューリング対象のセルに関する情報を送信してもよい。あるいは、ＤＬ  ＭＡＣ  ＣＥなどのマックレイヤのシグナリングに含めるものとしてよい。
【０１２０】
さらに、ＤＣＩ  ｆｏｒｍａｔとＤＬ  ＭＡＣ  ＣＥは組み合わせて用いてもよい。例えば、複数のＣＣでビットマップやＤＡＩがスケジューリングされる場合には、全てまたは一部のＭＡＣ  ＣＥにビットマップやＤＡＩをスケジューリングし、残りをＤＣＩ（ＰＤＣＣＨ／ＥＰＤＣＣＨ）にスケジューリングするようにしてもよい。
【０１２１】
また、上に示す例では、所定のＰＤＳＣＨを受信するＣＣと、当該ＰＤＳＣＨを割り当てるＰＤＣＣＨ／ＥＰＤＣＣＨを受信するＣＣが同じ場合を例に挙げて説明したが、本発明の適用はこれに限られるものではない。例えば、所定のＰＤＳＣＨを受信するＣＣと、当該ＰＤＳＣＨを割り当てるＰＤＣＣＨ／ＥＰＤＣＣＨを受信するＣＣが異なる場合（クロスキャリアスケジューリング）であっても、各実施形態で説明する方法を適用することができる。
【０１２２】
また、複数のＣＣのＰＤＣＣＨ／ＥＰＤＣＣＨに各種ＤＡＩ（ＴＤＡＩ、ＡＤＡＩ、ＬＤＡＩ）やビットマップが含まれる場合、ユーザ端末は、異なるＤＡＩやビットマップを含む複数のＰＤＣＣＨ／ＥＰＤＣＣＨを検出する可能性がある。かかる場合、いずれかのＰＤＣＣＨ／ＥＰＤＣＣＨは、誤検出である可能性が高い。
【０１２３】
このため、複数のＤＡＩ及び／又はビットマップが得られた場合、ユーザ端末は、以下のいずれかの方法でＴＤＡＩ（又はＡＤＡＩ）及び／又はビットマップを選択し、コードブックサイズを決定してもよい。
（１）多数決で選択（最も多く検出されたＴＤＡＩ（又はＡＤＡＩ）及び／又はビットマップを選択）
（２）スケジューリングされたＣＣ数が最も多いものを選択（最も大きいＴＤＡＩ（又はＡＤＡＩ）及び／又は最も‘１’の数が多いビットマップを選択）
（３）スケジューリングされたＣＣ数が最も少ないものを選択（最も小さいＴＤＡＩ（又はＡＤＡＩ）及び／又は最も‘１’の数が少ないビットマップを選択）
【０１２４】
このように、各ＣＣで送信されるビットマップ／ＤＡＩ値が異なる場合に、所定ルールに基づいてビットマップ／ＤＡＩ値を判断することで、無線基地局とユーザ端末との間で、ＡＣＫ／ＮＡＣＫビット数の認識がずれる可能性を低減することができる。
【０１２５】
（無線通信システム）
以下、本発明の一実施形態に係る無線通信システムの構成について説明する。この無線通信システムでは、本発明の上記各実施の態様に係る無線通信方法が適用される。なお、上記各実施の態様に係る無線通信方法は、それぞれ単独で適用されてもよいし、組み合わせて適用されてもよい。
【０１２６】
図１０は、本発明の一実施形態に係る無線通信システムの概略構成の一例を示す図である。無線通信システム１では、ＬＴＥシステムのシステム帯域幅（例えば、２０ＭＨｚ）を１単位とする複数の基本周波数ブロック（コンポーネントキャリア）を一体としたキャリアアグリゲーション（ＣＡ）及び／又はデュアルコネクティビティ（ＤＣ）を適用することができる。なお、無線通信システム１は、ＳＵＰＥＲ  ３Ｇ、ＬＴＥ−Ａ（ＬＴＥ−Ａｄｖａｎｃｅｄ）、ＩＭＴ−Ａｄｖａｎｃｅｄ、４Ｇ、５Ｇ、ＦＲＡ（Future  Radio  Access）などと呼ばれても良い。
【０１２７】
図１０に示す無線通信システム１は、マクロセルＣ１を形成する無線基地局１１と、マクロセルＣ１内に配置され、マクロセルＣ１よりも狭いスモールセルＣ２を形成する無線基地局１２ａ〜１２ｃとを備えている。また、マクロセルＣ１及び各スモールセルＣ２には、ユーザ端末２０が配置されている。
【０１２８】
ユーザ端末２０は、無線基地局１１及び無線基地局１２（１２ａ−１２ｃ）の双方に接続することができる。ユーザ端末２０は、異なる周波数を用いるマクロセルＣ１とスモールセルＣ２を、ＣＡ又はＤＣにより同時に使用することが想定される。また、ユーザ端末２０は、複数のセル（ＣＣ）（例えば、６個以上のＣＣ）を用いてＣＡ又はＤＣを適用することができる。
【０１２９】
ユーザ端末２０と無線基地局１１との間は、相対的に低い周波数帯域（例えば、２ＧＨｚ）で帯域幅が狭いキャリア（既存キャリア、Legacy  carrierなどと呼ばれる）を用いて通信を行うことができる。一方、ユーザ端末２０と無線基地局１２との間は、相対的に高い周波数帯域（例えば、３．５ＧＨｚ、５ＧＨｚなど）で帯域幅が広いキャリアが用いられてもよいし、無線基地局１１との間と同じキャリアが用いられてもよい。なお、各無線基地局が利用する周波数帯域の構成はこれに限られない。
【０１３０】
無線基地局１１と無線基地局１２との間（又は、２つの無線基地局１２間）は、有線接続（例えば、ＣＰＲＩ（Common  Public  Radio  Interface）に準拠した光ファイバ、Ｘ２インターフェースなど）又は無線接続する構成とすることができる。
【０１３１】
無線基地局１１及び各無線基地局１２は、それぞれ上位局装置３０に接続され、上位局装置３０を介してコアネットワーク４０に接続される。なお、上位局装置３０には、例えば、アクセスゲートウェイ装置、無線ネットワークコントローラ（ＲＮＣ）、モビリティマネジメントエンティティ（ＭＭＥ）などが含まれるが、これに限定されるものではない。また、各無線基地局１２は、無線基地局１１を介して上位局装置３０に接続されてもよい。
【０１３２】
なお、無線基地局１１は、相対的に広いカバレッジを有する無線基地局であり、マクロ基地局、集約ノード、ｅＮＢ（eNodeB）、送受信ポイント、などと呼ばれてもよい。また、無線基地局１２は、局所的なカバレッジを有する無線基地局であり、スモール基地局、マイクロ基地局、ピコ基地局、フェムト基地局、ＨｅＮＢ（Home  eNodeB）、ＲＲＨ（Remote  Radio  Head）、送受信ポイントなどと呼ばれてもよい。以下、無線基地局１１及び１２を区別しない場合は、無線基地局１０と総称する。
【０１３３】
各ユーザ端末２０は、ＬＴＥ、ＬＴＥ−Ａなどの各種通信方式に対応した端末であり、移動通信端末だけでなく固定通信端末を含んでもよい。
【０１３４】
無線通信システム１においては、無線アクセス方式として、下りリンクにＯＦＤＭＡ（直交周波数分割多元接続）が適用され、上りリンクにＳＣ−ＦＤＭＡ（シングルキャリア−周波数分割多元接続）が適用される。ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域幅を端末毎に１つ又は連続したリソースブロックからなる帯域に分割し、複数の端末が互いに異なる帯域を用いることで、端末間の干渉を低減するシングルキャリア伝送方式である。なお、上り及び下りの無線アクセス方式は、これらの組み合わせに限られない。
【０１３５】
無線通信システム１では、下りリンクのチャネルとして、各ユーザ端末２０で共有される下り共有チャネル（ＰＤＳＣＨ：Physical  Downlink  Shared  Channel）、報知チャネル（ＰＢＣＨ：Physical  Broadcast  Channel）、下りＬ１／Ｌ２制御チャネルなどが用いられる。ＰＤＳＣＨにより、ユーザデータや上位レイヤ制御情報、ＳＩＢ（System  Information  Block）などが伝送される。また、ＰＢＣＨにより、ＭＩＢ（Master  Information  Block）が伝送される。
【０１３６】
下りＬ１／Ｌ２制御チャネルは、ＰＤＣＣＨ（Physical  Downlink  Control  Channel）、ＥＰＤＣＣＨ（Enhanced  Physical  Downlink  Control  Channel）、ＰＣＦＩＣＨ（Physical  Control  Format  Indicator  Channel）、ＰＨＩＣＨ（Physical  Hybrid-ARQ  Indicator  Channel）などを含む。ＰＤＣＣＨにより、ＰＤＳＣＨ及びＰＵＳＣＨのスケジューリング情報を含む下り制御情報（ＤＣＩ：Downlink  Control  Information）などが伝送される。ＰＣＦＩＣＨにより、ＰＤＣＣＨに用いるＯＦＤＭシンボル数が伝送される。ＰＨＩＣＨにより、ＰＵＳＣＨに対するＨＡＲＱの送達確認信号（ＡＣＫ／ＮＡＣＫ）が伝送される。ＥＰＤＣＣＨは、ＰＤＳＣＨ（下り共有データチャネル）と周波数分割多重され、ＰＤＣＣＨと同様にＤＣＩなどの伝送に用いられる。
【０１３７】
また、ＤＣＩは、スケジューリングされたセルを示すビットマップや、スケジューリングされたセルの数を示すＴＤＡＩ（Total  Downlink  Assignment  Index）や、スケジューリングされたセルの累積値に関する情報を示すＡＤＡＩ（Accumulated  DAI）や、スケジューリングされたセルのうちセルインデックスが最も大きいセルに関する情報を示すＬＤＩ（Last  Downlink  assignment  Index）などを含んでもよい。また、ＰＵＳＣＨには、ＡＣＫ／ＮＡＣＫに用いるために、ＰＵＳＣＨ  ｆｏｒｍａｔ  １ａ／１ｂ、ＰＵＳＣＨ  ｆｏｒｍａｔ  ３などの複数のｆｏｒｍａｔが設定される。
【０１３８】
無線通信システム１では、上りリンクのチャネルとして、各ユーザ端末２０で共有される上り共有チャネル（ＰＵＳＣＨ：Physical  Uplink  Shared  Channel）、上り制御チャネル（ＰＵＣＣＨ：Physical  Uplink  Control  Channel）、ランダムアクセスチャネル（ＰＲＡＣＨ：Physical  Random  Access  Channel）などが用いられる。ＰＵＳＣＨにより、ユーザデータや上位レイヤ制御情報が伝送される。また、ＰＵＣＣＨにより、下りリンクの無線品質情報（ＣＱＩ：Channel  Quality  Indicator）、送達確認信号などが伝送される。ＰＲＡＣＨにより、セルとの接続確立のためのランダムアクセスプリアンブルが伝送される。
【０１３９】
＜無線基地局＞
図１１は、本発明の一実施形態に係る無線基地局の全体構成の一例を示す図である。無線基地局１０は、複数の送受信アンテナ１０１と、アンプ部１０２と、送受信部１０３と、ベースバンド信号処理部１０４と、呼処理部１０５と、伝送路インターフェース１０６とを備えている。なお、送受信アンテナ１０１、アンプ部１０２、送受信部１０３は、それぞれ１つ以上を含むように構成されればよい。
【０１４０】
下りリンクにより無線基地局１０からユーザ端末２０に送信されるユーザデータは、上位局装置３０から伝送路インターフェース１０６を介してベースバンド信号処理部１０４に入力される。
【０１４１】
ベースバンド信号処理部１０４では、ユーザデータに関して、ＰＤＣＰ（Packet  Data  Convergence  Protocol）レイヤの処理、ユーザデータの分割・結合、ＲＬＣ（Radio  Link  Control）再送制御などのＲＬＣレイヤの送信処理、ＭＡＣ（Medium  Access  Control）再送制御（例えば、ＨＡＲＱ（Hybrid  Automatic  Repeat  reQuest）の送信処理）、スケジューリング、伝送フォーマット選択、チャネル符号化、逆高速フーリエ変換（ＩＦＦＴ：Inverse  Fast  Fourier  Transform）処理、プリコーディング処理などの送信処理が行われて送受信部１０３に転送される。また、下り制御信号に関しても、チャネル符号化や逆高速フーリエ変換などの送信処理が行われて、送受信部１０３に転送される。
【０１４２】
送受信部１０３は、ベースバンド信号処理部１０４からアンテナ毎にプリコーディングして出力されたベースバンド信号を無線周波数帯に変換して送信する。送受信部１０３で周波数変換された無線周波数信号は、アンプ部１０２により増幅され、送受信アンテナ１０１から送信される。送受信部１０３は、本発明に係る技術分野での共通認識に基づいて説明されるトランスミッター／レシーバー、送受信回路又は送受信装置から構成することができる。なお、送受信部１０３は、一体の送受信部として構成されてもよいし、送信部及び受信部から構成されてもよい。また、送受信部１０３は、本発明に係る送信部及び受信部を構成することができる。
【０１４３】
一方、上り信号については、送受信アンテナ１０１で受信された無線周波数信号がアンプ部１０２で増幅される。送受信部１０３はアンプ部１０２で増幅された上り信号を受信する。送受信部１０３は、受信信号をベースバンド信号に周波数変換して、ベースバンド信号処理部１０４に出力する。
【０１４４】
ベースバンド信号処理部１０４では、入力された上り信号に含まれるユーザデータに対して、高速フーリエ変換（ＦＦＴ：Fast  Fourier  Transform）処理、逆離散フーリエ変換（ＩＤＦＴ：Inverse  Discrete  Fourier  Transform）処理、誤り訂正復号、ＭＡＣ再送制御の受信処理、ＲＬＣレイヤ及びＰＤＣＰレイヤの受信処理がなされ、伝送路インターフェース１０６を介して上位局装置３０に転送される。呼処理部１０５は、通信チャネルの設定や解放などの呼処理や、無線基地局１０の状態管理や、無線リソースの管理を行う。
【０１４５】
なお、送受信部１０３は、ユーザ端末２０に対して、後述の送信信号生成部３０２が生成する上り送信電力制御情報や、ＰＨＲ設定情報などを含む下り信号を送信する。
【０１４６】
伝送路インターフェース１０６は、所定のインターフェースを介して、上位局装置３０と信号を送受信する。また、伝送路インターフェース１０６は、基地局間インターフェース（例えば、ＣＰＲＩ（Common  Public  Radio  Interface）に準拠した光ファイバ、Ｘ２インターフェース）を介して隣接無線基地局１０と信号を送受信（バックホールシグナリング）してもよい。
【０１４７】
図１２は、本実施形態に係る無線基地局の機能構成の一例を示す図である。なお、図１２では、本実施形態における特徴部分の機能ブロックを主に示しており、無線基地局１０は、無線通信に必要な他の機能ブロックも有しているものとする。図１２に示すように、ベースバンド信号処理部１０４は、制御部（スケジューラ）３０１と、送信信号生成部３０２と、マッピング部３０３と、受信信号処理部３０４と、を少なくとも備えている。
【０１４８】
制御部（スケジューラ）３０１は、無線基地局１０全体の制御を実施する。制御部３０１は、本発明に係る技術分野での共通認識に基づいて説明されるコントローラ、制御回路又は制御装置から構成することができる。また、制御部３０１は、本発明に係る制御部を構成することができる。
【０１４９】
制御部３０１は、例えば、送信信号生成部３０２による信号の生成や、マッピング部３０３による信号の割り当てを制御する。また、制御部３０１は、受信信号処理部３０４による信号の受信処理や、信号の測定を制御する。
【０１５０】
制御部３０１は、システム情報、ＰＤＳＣＨで送信される下りデータ信号、ＰＤＣＣＨ及び／又はＥＰＤＣＣＨで伝送される下り制御信号のスケジューリング（例えば、リソース割り当て）を制御する。また、同期信号や、ＣＲＳ（Cell-specific  Reference  Signal）、ＣＳＩ−ＲＳ（Channel  State  Information  Reference  Signal）、ＤＭ−ＲＳ（Demodulation  Reference  Signal）などの下り参照信号のスケジューリングの制御を行う。
【０１５１】
また、制御部３０１は、ＰＵＳＣＨで送信される上りデータ信号、ＰＵＣＣＨ及び／又はＰＵＳＣＨで送信される上り制御信号（例えば、送達確認信号（ＨＡＲＱ−ＡＣＫ））、ＰＲＡＣＨで送信されるランダムアクセスプリアンブルや、上り参照信号などのスケジューリングを制御する。また、制御部３０１は、無線基地局１０に接続するユーザ端末２０の上りデータ送信のために、送信信号生成部３０２及びマッピング部３０３を制御する。
【０１５２】
また、制御部３０１は、ユーザ端末に対して単一セル（ＣＣ）又は複数セルでＤＣＩを送信するように送信信号生成部３０２を制御することができる。制御部３０１は、スケジューリング対象のセルに関する情報をＤＣＩに含めることができる。例えば、制御部３０１は、スケジュールされたセルを示すビットマップをＤＣＩに含めることができる（上記第１の態様）。制御部３０１は、スケジュールされたセルの数を示すＴＤＡＩ（Total  Downlink  Assignment  Index）をＤＣＩに含めることができる（上記第２の態様）。また、制御部３０１は、ＴＤＡＩに加えて、各セルのセルインデックスに対応した累積値を示すＡＤＡＩ（Accumulated  DAI）をＤＣＩに含めることができる（上記第３の態様）。さらに、制御部３０１は、スケジュールされたセルの中で一番セルインデックスが大きいセルであることを示すＬＤＩ（Last  Downlink  assignment  Index）をＤＣＩに含めることができる（上記第４の態様）。
【０１５３】
なお、制御部３０１は、スケジューリング対象のセルに関する情報を上位レイヤシグナリングに含めてもよい。
【０１５４】
送信信号生成部３０２は、制御部３０１からの指示に基づいて、下り信号（下り制御信号、下りデータ信号、下り参照信号など）を生成して、マッピング部３０３に出力する。送信信号生成部３０２は、本発明に係る技術分野での共通認識に基づいて説明される信号生成器、信号生成回路又は信号生成装置から構成することができる。
【０１５５】
送信信号生成部３０２は、例えば、制御部３０１からの指示に基づいて、下り信号の割り当て情報を通知するＤＬアサインメント及び上り信号の割り当て情報を通知するＵＬグラントを生成する。例えば、送信信号生成部３０２は、制御部３０１からの指示に従って、スケジューリング対象のセルに関する情報を含むＤＣＩを生成する。
【０１５６】
また、下りデータ信号には、各ユーザ端末２０からのチャネル状態情報（ＣＳＩ）などに基づいて決定された符号化率、変調方式などに従って符号化処理、変調処理が行われる。
【０１５７】
マッピング部３０３は、制御部３０１からの指示に基づいて、送信信号生成部３０２で生成された下り信号を、所定の無線リソースにマッピングして、送受信部１０３に出力する。マッピング部３０３は、本発明に係る技術分野での共通認識に基づいて説明されるマッパー、マッピング回路又はマッピング装置から構成することができる。
【０１５８】
受信信号処理部３０４は、送受信部１０３から入力された受信信号に対して、受信処理（例えば、デマッピング、復調、復号など）を行う。ここで、受信信号は、例えば、ユーザ端末２０から送信される上り信号（上り制御信号、上りデータ信号、上り参照信号など）である。受信信号処理部３０４は、本発明に係る技術分野での共通認識に基づいて説明される信号処理器、信号処理回路又は信号処理装置から構成することができる。
【０１５９】
受信信号処理部３０４は、受信処理により復号された情報を制御部３０１に出力する。また、受信信号処理部３０４は、受信した信号に関する測定を実施することができる。つまり、受信信号処理部３０４は、本発明に係る技術分野での共通認識に基づいて説明される測定器、測定回路又は測定装置から構成することができる。
【０１６０】
受信信号処理部３０４は、例えば、受信した信号の受信電力（例えば、ＲＳＲＰ（Reference  Signal  Received  Power））、受信品質（例えば、ＲＳＲＱ（Reference  Signal  Received  Quality））やチャネル状態などについて測定してもよい。測定結果は、制御部３０１に出力されてもよい。
【０１６１】
＜ユーザ端末＞
図１３は、本実施形態に係るユーザ端末の全体構成の一例を示す図である。ユーザ端末２０は、複数の送受信アンテナ２０１と、アンプ部２０２と、送受信部２０３と、ベースバンド信号処理部２０４と、アプリケーション部２０５と、を備えている。なお、送受信アンテナ２０１、アンプ部２０２、送受信部２０３は、それぞれ１つ以上を含むように構成されればよい。
【０１６２】
送受信アンテナ２０１で受信された無線周波数信号は、アンプ部２０２で増幅される。送受信部２０３は、アンプ部２０２で増幅された下り信号を受信する。送受信部２０３は、受信信号をベースバンド信号に周波数変換して、ベースバンド信号処理部２０４に出力する。送受信部２０３は、本発明に係る技術分野での共通認識に基づいて説明されるトランスミッター／レシーバー、送受信回路又は送受信装置から構成することができる。なお、送受信部２０３は、一体の送受信部として構成されてもよいし、送信部及び受信部から構成されてもよい。また、送受信部２０３は、本発明に係る送信部及び受信部を構成することができる。
【０１６３】
送受信部２０３は、スケジューリング対象のセルに関する情報を含むＤＣＩ又は／及び上位レイヤシグナリングを受信する。
【０１６４】
ベースバンド信号処理部２０４は、入力されたベースバンド信号に対して、ＦＦＴ処理や、誤り訂正復号、再送制御の受信処理などを行う。下りリンクのユーザデータは、アプリケーション部２０５に転送される。アプリケーション部２０５は、物理レイヤやＭＡＣレイヤより上位のレイヤに関する処理などを行う。また、下りリンクのデータのうち、報知情報もアプリケーション部２０５に転送される。
【０１６５】
一方、上りリンクのユーザデータについては、アプリケーション部２０５からベースバンド信号処理部２０４に入力される。ベースバンド信号処理部２０４では、再送制御の送信処理（例えば、ＨＡＲＱの送信処理）や、チャネル符号化、プリコーディング、離散フーリエ変換（ＤＦＴ：Discrete  Fourier  Transform）処理、ＩＦＦＴ処理などが行われて送受信部２０３に転送される。送受信部２０３は、ベースバンド信号処理部２０４から出力されたベースバンド信号を無線周波数帯に変換して送信する。送受信部２０３で周波数変換された無線周波数信号は、アンプ部２０２により増幅され、送受信アンテナ２０１から送信される。
【０１６６】
図１４は、本実施形態に係るユーザ端末の機能構成の一例を示す図である。なお、図１４においては、本実施形態における特徴部分の機能ブロックを主に示しており、ユーザ端末２０は、無線通信に必要な他の機能ブロックも有しているものとする。図１４に示すように、ユーザ端末２０が有するベースバンド信号処理部２０４は、制御部４０１と、送信信号生成部４０２と、マッピング部４０３と、受信信号処理部４０４と、測定部４０５と、を少なくとも備えている。
【０１６７】
制御部４０１は、ユーザ端末２０全体の制御を実施する。制御部４０１は、本発明に係る技術分野での共通認識に基づいて説明されるコントローラ、制御回路又は制御装置から構成することができる。また、制御部４０１は、本発明に係る制御部を構成することができる。
【０１６８】
制御部４０１は、例えば、送信信号生成部４０２による信号の生成や、マッピング部４０３による信号の割り当てを制御する。また、制御部４０１は、受信信号処理部４０４による信号の受信処理や、測定部４０５による信号の測定を制御する。
【０１６９】
制御部４０１は、無線基地局１０から送信された下り制御信号（ＰＤＣＣＨ／ＥＰＤＣＣＨで送信された信号）及び下りデータ信号（ＰＤＳＣＨで送信された信号）を、受信信号処理部４０４から取得する。制御部４０１は、下り制御信号や、下りデータ信号に対する再送制御の要否を判定した結果などに基づいて、上り制御信号（例えば、送達確認信号（ＨＡＲＱ−ＡＣＫ）など）や上りデータ信号の生成を制御する。
【０１７０】
また、制御部４０１は、下り制御信号に含まれるＤＣＩや、上位レイヤシグナリングにスケジューリング対象のセルに関する情報が含まれている場合には、当該スケジューリング対象のセルに関する情報に基づいてＡＣＫ／ＮＡＣＫの送信を制御する。
【０１７１】
例えば、制御部４０１は受信信号処理部４０４で受信されたＤＣＩ及び／又はＤＬ  ＭＡＣ  ＣＥに含まれるビットマップに基づいてＡＣＫ／ＮＡＣＫのコードブックサイズを決定してもよい。また、制御部４０１は送信信号生成部４０２にＡＣＫ／ＮＡＣＫビット列を生成させてもよい（第１の実施の形態）。
【０１７２】
また、制御部４０１は、受信信号処理部４０４で受信されたＤＣＩ及び／又はＤＬ  ＭＡＣ  ＣＥに含まれるＴＤＡＩに基づいて、ＡＣＫ／ＮＡＣＫのコードブックサイズを決定してもよい。また、制御部４０１は、ＰＤＳＣＨの復号結果に基づいて、送信信号生成部４０２にＡＣＫ／ＮＡＣＫビット列を生成させてもよい（第２の実施の形態）。
【０１７３】
また、制御部４０１は、受信信号処理部４０４で受信されたＤＣＩ及び／又はＤＬ  ＭＡＣ  ＣＥに含まれるＴＤＡＩに基づいて、ＡＣＫ／ＮＡＣＫのコードブックサイズを決定してもよい。また、制御部４０１は、ＤＣＩ及び／又はＤＬ  ＭＡＣ  ＣＥに含まれるＡＤＡＩに基づいて、ＡＣＫ／ＮＡＣＫのビット列を生成させてもよい（第３の実施の形態）。
【０１７４】
また、制御部４０１は、受信信号処理部４０４で受信されたＤＣＩ及び／又はＤＬ  ＭＡＣ  ＣＥに含まれるＴＤＡＩ及びＡＤＡＩに基づいて、ＡＣＫ／ＮＡＣＫのコードブックサイズを決定してもよい。また、制御部４０１は、ＡＤＡＩとＰＤＳＣＨの復号結果に基づいて、送信信号生成部４０２にＡＣＫ／ＮＡＣＫビット列を生成させてもよい（第４の実施の形態）。
【０１７５】
送信信号生成部４０２は、制御部４０１からの指示に基づいて、上り信号（上り制御信号、上りデータ信号、上り参照信号など）を生成して、マッピング部４０３に出力する。送信信号生成部４０２は、本発明に係る技術分野での共通認識に基づいて説明される信号生成器、信号生成回路又は信号生成装置から構成することができる。
【０１７６】
送信信号生成部４０２は、例えば、制御部４０１からの指示に基づいて、送達確認信号（ＨＡＲＱ−ＡＣＫ）やチャネル状態情報（ＣＳＩ）に関する上り制御信号を生成する。チャネル状態情報の送信に適用する変調次数（変調方式）やＰＲＢ数は、制御部４０１からの指示により決定することができる。また、送信信号生成部４０２は、制御部４０１からの指示に基づいて上りデータ信号を生成する。例えば、送信信号生成部４０２は、無線基地局１０から通知される下り制御信号にＵＬグラントが含まれている場合に、制御部４０１から上りデータ信号の生成を指示される。
【０１７７】
マッピング部４０３は、制御部４０１からの指示に基づいて、送信信号生成部４０２で生成された上り信号を無線リソースにマッピングして、送受信部２０３へ出力する。マッピング部４０３は、本発明に係る技術分野での共通認識に基づいて説明されるマッパー、マッピング回路又はマッピング装置から構成することができる。
【０１７８】
受信信号処理部４０４は、送受信部２０３から入力された受信信号に対して、受信処理（例えば、デマッピング、復調、復号など）を行う。ここで、受信信号は、例えば、無線基地局１０から送信される下り信号（下り制御信号、下りデータ信号、下り参照信号など）である。受信信号処理部４０４は、本発明に係る技術分野での共通認識に基づいて説明される信号処理器、信号処理回路又は信号処理装置から構成することができる。また、受信信号処理部４０４は、本発明に係る受信部を構成することができる。
【０１７９】
受信信号処理部４０４は、受信処理により復号された情報を制御部４０１に出力する。受信信号処理部４０４は、例えば、報知情報、システム情報、ＲＲＣシグナリング、ＤＣＩなどを、制御部４０１に出力する。また、受信信号処理部４０４は、受信信号や、受信処理後の信号を、測定部４０５に出力する。
【０１８０】
測定部４０５は、受信した信号に関する測定を実施する。測定部４０５は、本発明に係る技術分野での共通認識に基づいて説明される測定器、測定回路又は測定装置から構成することができる。測定部４０５は、例えば、受信した信号の受信電力（例えば、ＲＳＲＰ）、受信品質（例えば、ＲＳＲＱ）やチャネル状態などについて測定してもよい。測定結果は、制御部４０１に出力されてもよい。
【０１８１】
なお、上記実施形態の説明に用いたブロック図は、機能単位のブロックを示している。これらの機能ブロック（構成部）は、ハードウェア及びソフトウェアの任意の組み合わせによって実現される。また、各機能ブロックの実現手段は特に限定されない。すなわち、各機能ブロックは、物理的に結合した１つの装置により実現されてもよいし、物理的に分離した２つ以上の装置を有線又は無線で接続し、これら複数の装置により実現されてもよい。
【０１８２】
例えば、無線基地局１０やユーザ端末２０の各機能の一部又は全ては、ＡＳＩＣ（Application  Specific  Integrated  Circuit）、ＰＬＤ（Programmable  Logic  Device）、ＦＰＧＡ（Field  Programmable  Gate  Array）などのハードウェアを用いて実現されても良い。また、無線基地局１０やユーザ端末２０は、プロセッサ（ＣＰＵ：Central  Processing  Unit）と、ネットワーク接続用の通信インターフェースと、メモリと、プログラムを保持したコンピュータ読み取り可能な記憶媒体と、を含むコンピュータ装置によって実現されてもよい。つまり、本発明の一実施形態に係る無線基地局、ユーザ端末などは、本発明に係る無線通信方法の処理を行うコンピュータとして機能してもよい。
【０１８３】
ここで、プロセッサやメモリなどは情報を通信するためのバスで接続される。また、コンピュータ読み取り可能な記録媒体は、例えば、フレキシブルディスク、光磁気ディスク、ＲＯＭ（Read  Only  Memory）、ＥＰＲＯＭ（Erasable  Programmable  ＲＯＭ）、ＣＤ−ＲＯＭ（Compact  Disc−ＲＯＭ）、ＲＡＭ（Random  Access  Memory）、ハードディスクなどの記憶媒体である。また、プログラムは、電気通信回線を介してネットワークから送信されても良い。また、無線基地局１０やユーザ端末２０は、入力キーなどの入力装置や、ディスプレイなどの出力装置を含んでいてもよい。
【０１８４】
無線基地局１０及びユーザ端末２０の機能構成は、上述のハードウェアによって実現されてもよいし、プロセッサによって実行されるソフトウェアモジュールによって実現されてもよいし、両者の組み合わせによって実現されてもよい。プロセッサは、オペレーティングシステムを動作させてユーザ端末の全体を制御する。また、プロセッサは、記憶媒体からプログラム、ソフトウェアモジュールやデータをメモリに読み出し、これらに従って各種の処理を実行する。
【０１８５】
ここで、当該プログラムは、上記の各実施形態で説明した各動作を、コンピュータに実行させるプログラムであれば良い。例えば、ユーザ端末２０の制御部４０１は、メモリに格納され、プロセッサで動作する制御プログラムによって実現されてもよく、他の機能ブロックについても同様に実現されてもよい。
【０１８６】
また、ソフトウェア、命令などは、伝送媒体を介して送受信されてもよい。例えば、ソフトウェアが、同軸ケーブル、光ファイバケーブル、ツイストペア及びデジタル加入者回線（ＤＳＬ）などの有線技術及び／又は赤外線、無線及びマイクロ波などの無線技術を使用してウェブサイト、サーバ、又は他のリモートソースから送信される場合、これらの有線技術及び／又は無線技術は、伝送媒体の定義内に含まれる。
【０１８７】
なお、本明細書で説明した用語及び／又は本明細書の理解に必要な用語については、同一の又は類似する意味を有する用語と置き換えてもよい。例えば、チャネル及び／又はシンボルは信号（シグナリング）であってもよい。また、信号はメッセージであってもよい。また、コンポーネントキャリア（ＣＣ）は、キャリア周波数、セルなどと呼ばれてもよい。
【０１８８】
また、本明細書で説明した情報、パラメータなどは、絶対値で表されてもよいし、所定の値からの相対値で表されてもよいし、対応する別の情報で表されてもよい。例えば、無線リソースはインデックスで指示されるものであってもよい。
【０１８９】
本明細書で説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０１９０】
本明細書で説明した各態様／実施形態は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的に（例えば、当該所定の情報の通知を行わないことによって）行われてもよい。
【０１９１】
情報の通知は、本明細書で説明した態様／実施形態に限られず、他の方法で行われてもよい。例えば、情報の通知は、物理レイヤシグナリング（例えば、ＤＣＩ（Downlink  Control  Information）、ＵＣＩ（Uplink  Control  Information））、上位レイヤシグナリング（例えば、ＲＲＣ（Radio  Resource  Control）シグナリング、ＭＡＣ（Medium  Access  Control）シグナリング、報知情報（ＭＩＢ（Master  Information  Block）、ＳＩＢ（System  Information  Block）））、その他の信号又はこれらの組み合わせによって実施されてもよい。また、ＲＲＣシグナリングは、ＲＲＣメッセージと呼ばれてもよく、例えば、ＲＲＣ接続セットアップ（RRCConnectionSetup）メッセージ、ＲＲＣ接続再構成（RRCConnectionReconfiguration）メッセージなどであってもよい。
【０１９２】
本明細書で説明した各態様／実施形態は、ＬＴＥ（Long  Term  Evolution）、ＬＴＥ−Ａ（LTE-Advanced）、ＳＵＰＥＲ  ３Ｇ、ＩＭＴ−Ａｄｖａｎｃｅｄ、４Ｇ、５Ｇ、ＦＲＡ（Future  Radio  Access）、ＣＤＭＡ２０００、ＵＭＢ（Ultra  Mobile  Broadband）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、ＵＷＢ（Ultra-WideBand）、Ｂｌｕｅｔｏｏｔｈ（登録商標）、その他の適切なシステムを利用するシステム及び／又はこれらに基づいて拡張された次世代システムに適用されてもよい。
【０１９３】
本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【０１９４】
以上、本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【符号の説明】
【０１９５】
１  無線通信システム
１１、１２（１２ａ−１２ｃ）  無線基地局
２０  ユーザ端末
１０１  送受信アンテナ
１０２  アンプ部
１０３  送受信部
１０４  ベースバンド信号処理部
１０５  呼処理部
１０６  伝送路インターフェース
２０１  送受信アンテナ
２０２  アンプ部
２０３  送受信部
２０４  ベースバンド信号処理部
２０５  アプリケーション部
３０１、４０１  制御部
３０２、４０２  送信信号生成部
３０３、４０３  マッピング部
３０４、４０４  受信信号処理部
４０５  測定部
【図１】
2017017371.tif 000003
【図２】
2017017371.tif 000004
【図３】
2017017371.tif 000005
【図４】
2017017371.tif 000006
【図５】
2017017371.tif 000007
【図６】
2017017371.tif 000008
【図７】
2017017371.tif 000009
【図８】
2017017371.tif 000010
【図９】
2017017371.tif 000011
【図１０】
2017017371.tif 000012
【図１１】
2017017371.tif 000013
【図１２】
2017017371.tif 000014
【図１３】
2017017371.tif 000015
【図１４】
2017017371.tif 000016
【手続補正書】
【提出日】平成28年6月24日(2016.6.24)
【手続補正１】
【補正対象書類名】特許請求の範囲
【補正対象項目名】全文
【補正方法】変更
【補正の内容】
【特許請求の範囲】
【請求項１】
複数セルから送信されるＤＬ信号に対するＡＣＫ／ＮＡＣＫを送信する送信部と、
スケジューリング対象のセルに関する情報を受信する受信部と、
前記スケジューリング対象のセルに関する情報に基づいてＡＣＫ／ＮＡＣＫの送信を制御する制御部と、を有することを特徴とするユーザ端末。
【請求項２】
前記制御部は、前記スケジューリング対象のセルに関する情報に基づいて、フィードバックするＡＣＫ／ＮＡＣＫのビットサイズを制御することを特徴とする請求項１に記載のユーザ端末。
【請求項３】
前記スケジューリング対象のセルに関する情報は、所定の１サブフレームにおいてスケジューリング対象となるセルのトータル数を示す値を含むことを特徴とする請求項１又は請求項２に記載のユーザ端末。
【請求項４】
前記スケジューリング対象のセルに関する情報は、所定の１サブフレームにおいてスケジューリング対象となるセルの累積値をさらに含むことを特徴とする請求項３に記載のユーザ端末。
【請求項５】
前記受信部は、前記スケジューリング対象のセルに関する情報を、スケジューリング対象となるセルの下り制御情報（ＤＣＩ：Downlink  Control  Information）及び／又はＭＡＣ  ＣＥ（Medium  Access  Control  Control  Element）で受信することを特徴とする請求項１から請求項４のいずれかに記載のユーザ端末。
【請求項６】
前記トータル数を示す値は、スケジューリング対象となる全てのセルの下り制御情報にそれぞれ同じ値で含まれることを特徴とする請求項５に記載のユーザ端末。
【請求項７】
前記制御部は、前記累積値の最大値と前記トータル数を示す値が異なる場合、所定セルを検出ミスしたと判断することを特徴とする請求項４から請求項６のいずれかに記載のユーザ端末。
【請求項８】
前記制御部は、所定セルの累積値を受信できない場合、前記所定セルのＤＬ信号に対してＮＡＣＫと判断することを特徴とする請求項４から請求項７のいずれかに記載のユーザ端末。
【請求項９】
前記制御部は、前記下り制御情報に前記累積値及び／又は前記トータル数を示す値が含まれていない場合、ＰＵＣＣＨフォーマット１ａ／１ｂを用いてＡＣＫ／ＮＡＣＫの送信を制御することを特徴とする請求項４から請求項８のいずれかに記載のユーザ端末。
【請求項１０】
前記受信部は、前記下り制御情報が共通サーチスペースで送信される場合、前記所定の１サブフレームにおいてスケジューリング対象となるセルのトータル数を示す値及びセルの累積値が前記下り制御情報に含まれないと想定して前記下り制御情報の検出を行うことを特徴とする請求項４から請求項９のいずれかに記載のユーザ端末。
【請求項１１】
前記受信部が前記下り制御情報を共通サーチスペースでのみ検出した場合、前記制御部は、ＰＵＣＣＨフォーマット１ａ／１ｂを適用して前記ＡＣＫ／ＮＡＣＫの送信を制御することを特徴とする請求項４から請求項１０のいずれかに記載のユーザ端末。
【請求項１２】
複数セルを用いてユーザ端末と通信を行う無線基地局であって、
複数セルからそれぞれ送信するＤＬ信号のスケジューリングを制御する制御部と、
スケジューリング対象のセルに関する情報を送信する送信部と、
前記スケジューリング対象のセルに関する情報に基づいてユーザ端末から送信されるＡＣＫ／ＮＡＣＫを受信する受信部と、を有することを特徴とする無線基地局。
【請求項１３】
複数セルに接続して通信を行うユーザ端末の無線通信方法であって、
スケジューリング対象のセルに関する情報を受信する工程と、
前記スケジューリング対象のセルに関する情報に基づいて、複数セルから送信されるＤＬ信号に対するＡＣＫ／ＮＡＣＫを送信する工程と、を有することを特徴とする無線通信方法。
【手続補正２】
【補正対象書類名】明細書
【補正対象項目名】０００９
【補正方法】変更
【補正の内容】
【０００９】
本発明の一態様に係るユーザ端末は、複数セルから送信されるＤＬ信号に対するＡＣＫ／ＮＡＣＫを送信する送信部と、スケジューリング対象のセルに関する情報を受信する受信部と、前記スケジューリング対象のセルに関する情報に基づいてＡＣＫ／ＮＡＣＫの送信を制御する制御部と、を有することを特徴とする。
【手続補正書】
【提出日】平成28年10月7日(2016.10.7)
【手続補正１】
【補正対象書類名】特許請求の範囲
【補正対象項目名】全文
【補正方法】変更
【補正の内容】
【特許請求の範囲】
【請求項１】
複数セルから送信されるＤＬ信号に対するＡＣＫ／ＮＡＣＫを送信する送信部と、
所定サブフレームにおいてスケジューリング対象となるセルのトータル数を示す値と累積値に関する情報を下り制御情報から受信する受信部と、
前記スケジューリング対象となるセルのトータル数を示す値と累積値に関する情報に基づいてＡＣＫ／ＮＡＣＫの送信を制御する制御部と、を有し、
前記下り制御情報が共通サーチスペースで送信される場合、前記共通サーチスペースで送信される下り制御情報には前記スケジューリング対象となるセルのトータル数を示す値と累積値に関する情報が含まれないことを特徴とするユーザ端末。
【請求項２】
前記制御部は、前記スケジューリング対象となるセルのトータル数を示す値と累積値に関する情報に基づいて、フィードバックするＡＣＫ／ＮＡＣＫのビットサイズを制御することを特徴とする請求項１に記載のユーザ端末。
【請求項３】
前記トータル数を示す値は、スケジューリング対象となる全てのセルの下り制御情報にそれぞれ同じ値で含まれることを特徴とする請求項１又は請求項２に記載のユーザ端末。
【請求項４】
前記制御部は、前記累積値の最大値と前記トータル数を示す値が異なる場合、所定セルを検出ミスしたと判断することを特徴とする請求項１から請求項３のいずれかに記載のユーザ端末。
【請求項５】
前記制御部は、所定セルの累積値を受信できない場合、前記所定セルのＤＬ信号に対してＮＡＣＫと判断することを特徴とする請求項１から請求項４のいずれかに記載のユーザ端末。
【請求項６】
前記制御部は、前記下り制御情報に前記累積値及び／又は前記トータル数を示す値が含まれていない場合、ＰＵＣＣＨフォーマット１ａ／１ｂを用いてＡＣＫ／ＮＡＣＫの送信を制御することを特徴とする請求項１から請求項５のいずれかに記載のユーザ端末。
【請求項７】
前記受信部が前記下り制御情報を共通サーチスペースでのみ検出した場合、前記制御部は、ＰＵＣＣＨフォーマット１ａ／１ｂを適用して前記ＡＣＫ／ＮＡＣＫの送信を制御することを特徴とする請求項１から請求項５のいずれかに記載のユーザ端末。
【請求項８】
複数セルに接続するユーザ端末と通信を行う無線基地局であって、
所定サブフレームにおいてスケジューリング対象となるセルのトータル数を示す値と累積値に関する情報を下り制御情報を用いて送信する送信部と、
前記スケジューリング対象となるセルのトータル数を示す値と累積値に関する情報に基づいてユーザ端末が送信するＡＣＫ／ＮＡＣＫを受信する受信部と、を有し、
前記送信部が下り制御情報を共通サーチスペースで送信する場合、前記共通サーチスペースで送信する下り制御情報には前記スケジューリング対象となるセルのトータル数を示す値と累積値に関する情報を含めないことを特徴とする無線基地局。
【請求項９】
複数セルに接続して通信を行うユーザ端末の無線通信方法であって、
所定サブフレームにおいてスケジューリング対象となるセルのトータル数を示す値と累積値に関する情報を下り制御情報から受信する工程と、
前記スケジューリング対象となるセルのトータル数を示す値と累積値に関する情報に基づいてＡＣＫ／ＮＡＣＫを送信する工程と、を有し、
前記下り制御情報が共通サーチスペースで送信される場合、前記共通サーチスペースで送信される下り制御情報には前記スケジューリング対象となるセルのトータル数を示す値と累積値に関する情報が含まれないことを特徴とする無線通信方法。
【手続補正２】
【補正対象書類名】明細書
【補正対象項目名】０００９
【補正方法】変更
【補正の内容】
【０００９】
本発明の一態様に係るユーザ端末は、複数セルから送信されるＤＬ信号に対するＡＣＫ／ＮＡＣＫを送信する送信部と、所定サブフレームにおいてスケジューリング対象となるセルのトータル数を示す値と累積値に関する情報を下り制御情報から受信する受信部と、前記スケジューリング対象となるセルのトータル数を示す値と累積値に関する情報に基づいてＡＣＫ／ＮＡＣＫの送信を制御する制御部と、を有し、下り制御情報が共通サーチスペースで送信される場合、前記共通サーチスペースで送信される下り制御情報には前記スケジューリング対象となるセルのトータル数を示す値と累積値に関する情報が含まれないことを特徴とする。